(57)【要約】  外科用器具と共に使用するためのエンドエフェクタ。エンドエフェクタは、回動可能に相互接続されて、発射部材によって開放位置と閉鎖位置との間で移動させられる第１及び第２の顎部を含む。顎部の一方又は両方は、使用中にユーザが発射部材の動きを監視することができるように適合された顎部補強機構を備えて構成される。
2021506378.tif 000002
【特許請求の範囲】
【請求項１】
外科用器具と共に使用するためのエンドエフェクタであって、
第１の顎部であって、その第１の顎部近位端と第１の顎部遠位端との間に第１の顎部長手方向軸を画定し、間に第１の顎部開口部を画定するように互いから長手方向にオフセットされた複数の第１の顎部補強機構を備える、第１の顎部と、
第２の顎部であって、前記第１の顎部及び前記第２の顎部が、完全開放位置と完全閉鎖位置との間で互いに対して移動可能であるように、前記第１の顎部に移動可能に連結され、間に第２の顎部開口部を画定するように互いから長手方向にオフセットされた複数の第２の顎部補強機構を備え、前記第１及び第２の顎部が前記完全閉鎖位置にあるとき、前記第１の顎部補強機構のそれぞれが、前記第２の顎部開口部のうちの対応する１つと垂直方向に位置合わせされ、前記第２の顎部補強機構のそれぞれが、前記第１の顎部開口部のうちの対応する１つと垂直方向に位置合わせされている、第２の顎部と、
前記第１及び第２の顎部を前記完全開放位置と前記完全閉鎖位置との間で選択的に移動させるための手段と、
を備える、エンドエフェクタ。
【請求項２】
前記複数の前記第１の顎部補強機構が、
前記第１の顎部の近位端から離間して、近位の第１の顎部開口部を間に画定する近位の第１の顎部補強材と、
前記近位の第１の顎部補強材から遠位に離間して、間に中央の第１の顎部開口部を画定する中央の第１の顎部補強材と、
前記中央の第１の顎部補強材から遠位に離間して、間に遠位の第１の顎部開口部を画定する遠位の第１の顎部補強材と、
を備え、
前記複数の第２の顎部補強機構が、
前記第１及び第２の顎部が前記完全閉鎖位置にあるとき、前記近位の第１の顎部開口部と垂直方向に位置合わせされている近位の第２の顎部補強材と、
前記近位の第２の顎部補強材から遠位に離間して、間に近位の第２の顎部開口部を画定する中央の第２の顎部補強材であって、前記第１及び第２の顎部が前記完全閉鎖位置にあるとき、前記近位の第２の顎部開口部が前記近位の第１の顎部補強材と垂直方向に位置合わせされている、中央の第２の顎部補強材と、
前記中央の第２の顎部補強材から遠位に離間して、間に中央の第２の顎部開口部を画定する、遠位の第２の顎部補強材であって、前記第１及び第２の顎部が前記完全閉鎖位置にあるとき、前記中央の第２の顎部開口部が前記中央の第１の顎部補強材と垂直方向に位置合わせされており、前記遠位の第２の顎部補強材が、前記第２の顎部の遠位端から近位に離間して、間に遠位の第２の顎部開口部を画定し、前記第１及び第２の顎部が前記完全閉鎖位置にあるとき、前記遠位の第２の顎部開口部が前記遠位の第１の顎部補強材と垂直方向に位置合わせされている、遠位の第２の顎部補強材と、
を備える、請求項１に記載のエンドエフェクタ。
【請求項３】
前記第１の顎部が、第１の側面と前記第１の側面から横方向に離間した第２の側面とを含む第１の顎部本体を備え、前記複数の前記第１の顎部補強機構のそれぞれが、前記第１の側面と前記第２の側面との間を延在し、前記第２の顎部が、第２の顎部遠位端と第２の顎部近位端との間の第２の顎部長手方向軸を画定する第２の顎部本体を備え、前記第２の顎部が、一次側面と前記一次側面から離間した二次側面とを更に備え、前記複数の第２の顎部補強機構のそれぞれが、前記一次側面と前記二次側面との間を延在する、請求項１に記載のエンドエフェクタ。
【請求項４】
前記第１の顎部補強機構のそれぞれが前記第１の顎部長手方向軸を横断し、前記第２の顎部補強機構のそれぞれが前記第２の顎部長手方向軸を横断する、請求項３に記載のエンドエフェクタ。
【請求項５】
前記選択的に移動させるための手段が、前記第１及び前記第２の顎部の前記完全開放位置に対応する開始位置と終了位置との間で選択的に移動可能である軸方向に移動可能な動的クランプアセンブリを備え、前記軸方向に移動可能な動的クランプアセンブリが、
垂直に延在する本体部と、
前記第１の顎部と摺動可能に係合するように構成された少なくとも１つの第１の顎部係合機構と、
前記第２の顎部と摺動可能に係合するように構成された少なくとも１つの第２の顎部係合機構と、
を備える、請求項１に記載のエンドエフェクタ。
【請求項６】
前記動的クランプアセンブリが前記エンドエフェクタ内で軸方向に移動させられる際、前記少なくとも１つの第１の顎部係合機構が、前記第１の顎部の前記第１の顎部開口部のうちの少なくとも１つを介して視認可能である、又は前記少なくとも１つの第２の顎部係合機構が、前記第２の顎部の前記第２の顎部開口部の少なくとも１つを介して視認可能である、請求項５に記載のエンドエフェクタ。
【請求項７】
前記動的クランプアセンブリが前記エンドエフェクタ内で軸方向に移動させられる際、前記少なくとも１つの第１の顎部係合機構が、前記第１の顎部の前記第１及び第２の側面のうちの１つから、前記第１の顎部の前記第１の顎部開口部のうちの少なくとも１つを介して視認可能である、又は前記少なくとも１つの第２の顎部係合機構が、前記第２の顎部の前記一次及び二次側面のうちの１つから、前記第２の顎部の前記第２の顎部開口部のうちの少なくとも１つを介して視認可能である、請求項３に記載のエンドエフェクタ。
【請求項８】
前記第１の顎部が、外科用ステープルカートリッジを内部に支持するように構成されたチャネルを備え、前記第２の顎部がアンビルを備える、請求項５に記載のエンドエフェクタ。
【請求項９】
前記垂直に延在する本体部が組織切断面を備える、請求項８に記載のエンドエフェクタ。
【請求項１０】
外科用器具と共に使用するためのエンドエフェクタであって、
第１の顎部と、
第２の顎部であって、前記第１及び第２の顎部が完全開放位置と完全閉鎖位置との間で互いに対して移動することができるように、前記第１の顎部に回動可能に連結された第２の顎部と、
動的クランプアセンブリであって、前記動的クランプアセンブリが開始位置から終了位置へと軸方向に移動させられる際に前記第１及び第２の顎部に係合して、前記第１及び第２の顎部に閉鎖運動を付与するように構成された動的クランプアセンブリと、
を備え、
前記第１及び第２の顎部のうちの少なくとも１つは、前記動的クランプアセンブリが前記開始位置と前記終了位置との間を移動する際に前記動的クランプアセンブリの視認を可能にするように構成された開口部によって互いに長手方向に離間している補強機構を備える、エンドエフェクタ。
【請求項１１】
前記動的クランプアセンブリが、
垂直に延在する本体部と、
前記第１の顎部と摺動可能に係合するように構成された少なくとも１つの第１の顎部係合機構と、
前記第２の顎部と摺動可能に係合するように構成された少なくとも１つの第２の顎部係合機構と、
を備える、請求項１０に記載のエンドエフェクタ。
【請求項１２】
前記第１の顎部がチャネルを備え、前記チャネルが、
第１のチャネル側面と、前記第１のチャネル側面から横方向に離間した第２のチャネル側面と、を備えるチャネル本体と、
チャネル開口部によって互いに軸方向に離間して、前記第１のチャネル側面と前記第２のチャネル側面との間にまたがる、複数のチャネル補強材ブリッジと、
を備える、請求項１０に記載のエンドエフェクタ。
【請求項１３】
前記第２の顎部が、アンビルを含み、前記アンビルが、
前記チャネルに支持されたカートリッジと対面関係で支持されるアンビルプレートと、
前記アンビルプレートに連結されたアンビルカバーであって、
第１のアンビル側面と、
前記第１のアンビル側面から離間した第２のアンビル側面であって、アンビル開口部によって互いに軸方向に離間して、前記第１のアンビル側面と前記第２のアンビル側面との間にまたがる、複数のアンビル補強ブリッジによって前記第１のアンビル側面に連結されている、第２のアンビル側面と、
を備える、アンビルカバーと、
を備える、請求項１２に記載のエンドエフェクタ。
【請求項１４】
前記チャネル補強材ブリッジのそれぞれが、前記第１の長手方向軸を横断し、前記アンビルが、近位アンビル端と遠位アンビル端との間に第２の長手方向軸を画定し、前記アンビル補強材ブリッジのそれぞれが、前記第２の長手方向軸を横断する、請求項１３に記載のエンドエフェクタ。
【請求項１５】
前記垂直に延在する本体部が組織切断面を備える、請求項１１に記載のエンドエフェクタ。
【請求項１６】
前記動的クランプアセンブリが前記エンドエフェクタ内で軸方向に移動させられる際、前記動的クランプアセンブリの一部が、前記第１のチャネル側面及び前記第２のチャネル側面のうちの１つから、前記チャネルの前記チャネル開口部のうちの少なくとも１つを介して視認可能である、又は前記動的クランプアセンブリの少なくとも別の一部が、前記第１のアンビル側面及び前記第２のアンビル側面のうちの１つから、前記アンビル開口部のうちの少なくとも１つを介して視認可能である、請求項１２に記載のエンドエフェクタ。
【請求項１７】
モータ駆動外科用器具と共に使用するための外科用装填ユニットであって、
前記モータ駆動外科用器具の一部と動作可能にインターフェイスするように構成されたハウジングと、
前記ハウジングに動作可能に連結されたツールアセンブリであって、
ステープルカートリッジ本体を内部に支持するチャネルであって、その近位端と遠位端との間に第１の長手方向軸を画定し、複数のチャネル補強材ブリッジ及び前記チャネル補強材ブリッジ間のチャネル開口部を画定する分割底部を備える、チャネルと、
前記チャネルに回動可能に連結されたアンビルであって、前記チャネル及び前記アンビルが、完全開放位置と完全閉鎖位置との間で互いに対して移動可能であり、複数のアンビル補強材ブリッジ及び前記チャネル補強材ブリッジ間のアンビル開口部を画定する分割上部を備える、アンビルと、
動的クランプアセンブリであって、前記動的クランプアセンブリが開始位置から終了位置へと軸方向に移動させられる際に前記チャネル及び前記アンビルに係合して、前記チャネル及び前記アンビルに閉鎖運動を付与するように構成され、前記動的クランプアセンブリが前記開始位置と前記終了位置との間を移動する際に、前記チャネル開口部又は前記アンビル開口部を介して視認可能である、動的クランプアセンブリと、
を備える、ツールアセンブリと、
を備える、外科用装填ユニット。
【請求項１８】
前記ツールアセンブリが、前記ハウジングアセンブリに対して選択的に回動移動するように前記ハウジングアセンブリに回動可能に連結されている、請求項１７に記載の外科用装填ユニット。
【請求項１９】
前記ハウジングが、前記モータ駆動外科用器具に取り外し可能に連結されるように構成されたアダプタに取り外し可能に連結されるように構成されている、請求項１８に記載の外科用装填ユニット。
【請求項２０】
前記複数の前記チャネル補強材ブリッジが、
前記チャネルの近位端から離間して、間に近位チャネル開口部を画定する、近位チャネル補強材ブリッジと、
前記近位チャネル補強材ブリッジから遠位に離間して、間に中央チャネル開口部を画定する中央チャネル補強材ブリッジと、
前記中央チャネル補強材ブリッジから遠位に離間して、間に遠位チャネル開口部を画定する遠位チャネル補強材ブリッジと、
を備え、
前記複数のアンビル補強材ブリッジが、
前記チャネル及び前記アンビルが前記完全閉鎖位置にあるとき、前記近位チャネル開口部と垂直方向に位置合わせされている近位アンビル補強材ブリッジと、
前記近位アンビル補強材ブリッジから遠位に離間して、間に近位アンビル開口部を画定する中央アンビル補強材ブリッジであって、前記チャネル及びアンビルが前記完全閉鎖位置にあるとき、前記近位アンビル開口部が前記近位チャネル補強材ブリッジと垂直方向に位置合わせされている、中央アンビル補強材ブリッジと、
前記中央アンビル補強材ブリッジから遠位に離間して、間に中央アンビル開口部を画定する、遠位アンビル補強材ブリッジであって、前記チャネル及び前記アンビルが前記完全閉鎖位置にあるとき、前記中央アンビル開口部が前記中央チャネル補強材ブリッジと垂直方向に位置合わせされており、前記遠位アンビル補強材ブリッジが、前記アンビルの遠位端から近位に離間して、間に遠位アンビル開口部を画定し、前記アンビル及び前記チャネルが前記完全閉鎖位置にあるとき、前記遠位アンビル開口部が前記遠位チャネル補強材ブリッジと垂直方向に位置合わせされている、遠位アンビル補強材ブリッジと、
を備える、請求項１７に記載の外科用装填ユニット。
【発明の詳細な説明】
【背景技術】
【０００１】
本発明は、外科用器具に関し、また、様々な状況において組織をステープル留めし、切断するために設計された、外科用ステープル留め及び切断器具並びにそれらと共に使用するためのステープルカートリッジに関する。
【図面の簡単な説明】
【０００２】
本明細書に記載する実施形態の様々な特徴は、それらの利点と共に、以下の添付図面と併せて以下の説明によって理解することができる。
【図１】電気機械的外科用システムの斜視図である。
【図２】図１の外科用システムの電気機械的外科用器具部分の遠位端の斜視図である。
【図３】図２の外側シェル機構及び電気機械的外科用器具の分解組立図である。
【図４】図２の電気機械的外科用器具の一部の背面斜視図である。
【図５】図１の外科用システムのアダプタ及び電気機械的外科用器具の一部の部分分解組立図である。
【図６】図５のアダプタの一部の分解組立図である。
【図７】アダプタの関節アセンブリの一部の断面斜視図である。
【図８】図７の関節アセンブリの斜視図である。
【図９】図８の関節アセンブリの別の斜視図である。
【図１０】図１の電気機械的外科用システムにおいて使用される装填ユニットの分解組立図である。
【図１１】代替のアダプタの実施形態の斜視図である。
【図１２】その顎部が開放位置にある図１１のアダプタの装填ユニットの一部の側面図である。
【図１３】その一部が断面図で示され且つその顎部が閉鎖位置にある図１１の装填ユニットの一部の別の側面図である。
【図１４】その一部が断面図で示される図１３の装填ユニットの一部の底面図である。
【図１５】外管の一部が二点鎖線で示される図１４の装填ユニットの一部の斜視図である。
【図１６】顎部が閉鎖位置にあり、動的クランプアセンブリが発射位置に位置付けられた、アダプタの別の装填ユニットの上面斜視図である。
【図１７】図１６の装填ユニットの底面斜視図である。
【図１８】顎部が閉鎖位置にある、図１６の装填ユニットの側立面図である。
【図１９】動的クランプアセンブリが発射位置に位置付けられた、図１８の装填ユニットの別の側立面図である。
【図２０】動的クランプアセンブリが部分発射位置にある、図１９の装填ユニットの別の側立面図である。
【図２１】動的クランプアセンブリが終了位置に位置付けられた、図２０の装填ユニットの別の側立面図である。
【図２２】部分発射構成にある動的クランプアセンブリを示す、別の装填ユニットの部分側立面図である。
【図２３】装填ユニットのアンビルアセンブリの一部の断面端面図である。
【図２４】装填ユニットの別のアンビルアセンブリの一部の断面端面図である
【０００３】
複数の図面をとおして、対応する参照符号は対応する部分を示す。本明細書に記載される例示は、本発明の様々な実施形態を１つの形態で例示するものであり、このような例示は、いかようにも本発明の範囲を限定するものとして解釈されるべきではない。
【発明を実施するための形態】
【０００４】
本願の出願人は、２０１７年１２月１５日に出願された以下の米国特許出願を所有しており、これらは各々、それらの全体が参照により本明細書に組み込まれる。
−「ＳＥＡＬＥＤ  ＡＤＡＰＴＥＲＳ  ＦＯＲ  ＵＳＥ  ＷＩＴＨ  ＥＬＥＣＴＲＯＭＥＣＨＡＮＩＣＡＬ  ＳＵＲＧＩＣＡＬ  ＩＮＳＴＲＵＭＥＮＴＳ」と題された米国特許出願第１５／８４３，４８５号、
−「ＥＮＤ  ＥＦＦＥＣＴＯＲＳ  ＷＩＴＨ  ＰＯＳＩＴＩＶＥ  ＪＡＷ  ＯＰＥＮＩＮＧ  ＦＥＡＴＵＲＥＳ  ＦＯＲ  ＵＳＥ  ＷＩＴＨ  ＡＤＡＰＴＥＲＳ  ＦＯＲ  ＥＬＥＣＴＲＯＭＥＣＨＡＮＩＣＡＬ  ＳＵＲＧＩＣＡＬ  ＩＮＳＴＲＵＭＥＮＴＳ」と題された米国特許出願第１５／８４３，５１８号、
−「ＳＵＲＧＩＣＡＬ  ＥＮＤ  ＥＦＦＥＣＴＯＲＳ  ＷＩＴＨ  ＣＬＡＭＰＩＮＧ  ＡＳＳＥＭＢＬＩＥＳ  ＣＯＮＦＩＧＵＲＥＤ  ＴＯ  ＩＮＣＲＥＡＳＥ  ＪＡＷ  ＡＰＥＲＴＵＲＥ  ＲＡＮＧＥＳ」と題された米国特許出願第１５／８４３，５３５号、
−「ＳＵＲＧＩＣＡＬ  ＥＮＤ  ＥＦＦＥＣＴＯＲＳ  ＷＩＴＨ  ＰＩＶＯＴＡＬ  ＪＡＷＳ  ＣＯＮＦＩＧＵＲＥＤ  ＴＯ  ＴＯＵＣＨ  ＡＴ  ＴＨＥＩＲ  ＲＥＳＰＥＣＴＩＶＥ  ＤＩＳＴＡＬ  ＥＮＤＳ  ＷＨＥＮ  ＦＵＬＬＹ  ＣＬＯＳＥＤ」と題された米国特許出願第１５／８４３，５５８号、
−「ＡＤＡＰＴＥＲＳ  ＷＩＴＨ  ＥＮＤ  ＥＦＦＥＣＴＯＲ  ＰＯＳＩＴＩＯＮ  ＳＥＮＳＩＮＧ  ＡＮＤ  ＣＯＮＴＲＯＬ  ＡＲＲＡＮＧＥＭＥＮＴＳ  ＦＯＲ  ＵＳＥ  ＩＮ  ＣＯＮＮＥＣＴＩＯＮ  ＷＩＴＨ  ＥＬＥＣＴＲＯＭＥＣＨＡＮＩＣＡＬ  ＳＵＲＧＩＣＡＬ  ＩＮＳＴＲＵＭＥＮＴＳ」と題された米国特許出願第１５／８４３，５６７号、
−「ＤＹＮＡＭＩＣ  ＣＬＡＭＰＩＮＧ  ＡＳＳＥＭＢＬＩＥＳ  ＷＩＴＨ  ＩＭＰＲＯＶＥＤ  ＷＥＡＲ  ＣＨＡＲＡＣＴＥＲＩＳＴＩＣＳ  ＦＯＲ  ＵＳＥ  ＩＮ  ＣＯＮＮＥＣＴＩＯＮ  ＷＩＴＨ  ＥＬＥＣＴＲＯＭＥＣＨＡＮＩＣＡＬ  ＳＵＲＧＩＣＡＬ  ＩＮＳＴＲＵＭＥＮＴＳ」と題された米国特許出願第１５／８４３，５５６号、
−「ＡＤＡＰＴＥＲＳ  ＷＩＴＨ  ＦＩＲＩＮＧ  ＳＴＲＯＫＥ  ＳＥＮＳＩＮＧ  ＡＲＲＡＮＧＥＭＥＮＴＳ  ＦＯＲ  ＵＳＥ  ＩＮ  ＣＯＮＮＥＣＴＩＯＮ  ＷＩＴＨ  ＥＬＥＣＴＲＯＭＥＣＨＡＮＩＣＡＬ  ＳＵＲＧＩＣＡＬ  ＩＮＳＴＲＵＭＥＮＴＳ」と題された米国特許出願第１５／８４３，５１４号、
−「ＡＤＡＰＴＥＲＳ  ＷＩＴＨ  ＣＯＮＴＲＯＬ  ＳＹＳＴＥＭＳ  ＦＯＲ  ＣＯＮＴＲＯＬＬＩＮＧ  ＭＵＬＴＩＰＬＥ  ＭＯＴＯＲＳ  ＯＦ  ＡＮ  ＥＬＥＣＴＲＯＭＥＣＨＡＮＩＣＡＬ  ＳＵＲＧＩＣＡＬ  ＩＮＳＴＲＵＭＥＮＴ」と題された米国特許出願第１５／８４３，５０１号、
−「ＨＡＮＤＨＥＬＤ  ＥＬＥＣＴＲＯＭＥＣＨＡＮＩＣＡＬ  ＳＵＲＧＩＣＡＬ  ＩＮＳＴＲＵＭＥＮＴＳ  ＷＩＴＨ  ＩＭＰＲＯＶＥＤ  ＭＯＴＯＲ  ＣＯＮＴＲＯＬ  ＡＲＲＡＮＧＥＭＥＮＴＳ  ＦＯＲ  ＰＯＳＩＴＩＯＮＩＮＧ  ＣＯＭＰＯＮＥＮＴＳ  ＯＦ  ＡＮ  ＡＤＡＰＴＥＲ  ＣＯＵＰＬＥＤ  ＴＨＥＲＥＴＯ」と題された米国特許出願第１５／８４３，５０８号、
−「ＳＹＳＴＥＭＳ  ＡＮＤ  ＭＥＴＨＯＤＳ  ＯＦ  ＣＯＮＴＲＯＬＬＩＮＧ  Ａ  ＣＬＡＭＰＩＮＧ  ＭＥＭＢＥＲ  ＦＩＲＩＮＧ  ＲＡＴＥ  ＯＦ  Ａ  ＳＵＲＧＩＣＡＬ  ＩＮＳＴＲＵＭＥＮＴ」と題された米国特許出願第１５／８４３，６８３号、
−「ＳＹＳＴＥＭＳ  ＡＮＤ  ＭＥＴＨＯＤＳ  ＯＦ  ＣＯＮＴＲＯＬＬＩＮＧ  Ａ  ＣＬＡＭＰＩＮＧ  ＭＥＭＢＥＲ」と題された米国特許出願第１５／８４３，６８９号、及び
−「ＭＥＴＨＯＤＳ  ＯＦ  ＯＰＥＲＡＴＩＮＧ  ＳＵＲＧＩＣＡＬ  ＥＮＤ  ＥＦＦＥＣＴＯＲＳ」と題された米国特許出願第１５／８４３，７０４号。
【０００５】
明細書に記載され、添付の図面に示されるように、実施形態の全体的な構造、機能、製造、及び使用の完全な理解を提供するために、多数の具体的な詳細が説明される。周知の動作、構成要素、及び要素は、本明細書に記載される実施形態を不明瞭にしないようにするため、詳細に記載されていない。読者は、本明細書に記載され図示された実施形態は、非限定的な例であり、したがって本明細書に開示された特定の構造的及び機能的詳細は、代表的及び例示的であり得ることを、理解するであろう。特許請求の範囲から逸脱することなく、それに対する変形及び変更を行うことができる。
【０００６】
用語「備える（comprise）」（「ｃｏｍｐｒｉｓｅｓ」及び「ｃｏｍｐｒｉｓｉｎｇ」など、ｃｏｍｐｒｉｓｅの任意の語形）、「有する（have）」（「ｈａｓ」及び「ｈａｖｉｎｇ」など、ｈａｖｅの任意の語形）、「含む（include）」（「ｉｎｃｌｕｄｅｓ」及び「ｉｎｃｌｕｄｉｎｇ」など、ｉｎｃｌｕｄｅの任意の語形）、及び「含有する（contain）」（「ｃｏｎｔａｉｎｓ」及び「ｃｏｎｔａｉｎｉｎｇ」など、ｃｏｎｔａｉｎの任意の語形）は、オープンエンドの連結動詞である。結果として、１つ以上の要素を「備える」、「有する」、「含む」、若しくは「含有する」外科用システム、デバイス、又は装置は、それらの１つ以上の要素を有するが、それらの１つ以上のみを有することに限定されない。同様に、１つ以上の特徴を「備える」、「有する」、「含む」、若しくは「含有する」、システム、デバイス、又は装置の要素は、それら１つ以上の特徴を有するが、それら１つ以上の特徴のみを有することに限定されない。
【０００７】
「近位」及び「遠位」という用語は、本明細書では、外科用器具のハンドル部分を操作する臨床医を基準として使用される。「近位」という用語は、臨床医に最も近い部分を指し、「遠位」という用語は、臨床医から離れた位置にある部分を指す。便宜上及び明確性のために、「垂直」、「水平」、「上」、及び「下」などの空間的用語が、本明細書において図面に対して使用され得ることが更に理解されよう。しかしながら、外科用器具は、多くの向き及び位置で使用されるものであり、これらの用語は限定的及び／又は絶対的であることを意図したものではない。
【０００８】
腹腔鏡下及び低侵襲性の外科手術を行うための、様々な例示的なデバイス及び方法が提供される。しかしながら、本明細書に開示される様々な方法及びデバイスが、例えば開腹外科手術と関連するものを含む、多くの外科手術及び用途で使用され得ることが、読者には容易に理解されよう。本明細書の「発明を実施するための形態」を読み進めることで、読者は、本明細書に開示される様々な器具が、例えば、もとからある開口部を通じて、組織に形成された切開又は穿刺穴を通じてなど、任意の方法で体内に挿入され得ることを更に理解するであろう。これらの器具の作用部分すなわちエンドエフェクタ部分は、患者の体内に直接に挿入することもでき、又は、外科用器具のエンドエフェクタ及び細長いシャフトを進めることが可能な作用通路を有するアクセスデバイスを通じて挿入することもできる。
【０００９】
外科用ステープル留めシステムは、シャフトと、シャフトから延在するエンドエフェクタとを備えることができる。エンドエフェクタは第１の顎部及び第２の顎部を備える。第１のジョーは、ステープルカートリッジを備える。ステープルカートリッジは、第１のジョーへと挿入可能であり、且つ第１のジョーから取り外し可能であるが、ステープルカートリッジが第１のジョーから取り外し可能でない、又は第１のジョーから少なくとも容易に交換可能ではない、その他の実施形態が想到される。第２のジョーは、ステープルカートリッジから排出されたステープルを変形させるように構成されたアンビルを備える。第２のジョーは、閉鎖軸の周囲にて、第１のジョーに対して枢動可能であるが、第１のジョーが第２のジョーに対して枢動可能である、その他の実施形態が想定される。外科用ステープル留めシステムは、エンドエフェクタをシャフトに対して回転させる、すなわち関節運動させることができるように構成された関節継手を更に備える。エンドエフェクタは、関節継手を通って延在する関節運動軸を中心にして回転可能である。関節継手を含まない他の実施形態も想到される。
【００１０】
ステープルカートリッジは、カートリッジ本体を備える。カートリッジ本体は、近位端と、遠位端と、近位端と遠位端との間に延在するデッキ部とを含む。使用中、ステープルカートリッジは、ステープル留めされる組織の第１の側に位置付けられ、アンビルは、組織の第２の側に位置付けられる。アンビルは、ステープルカートリッジに向かって移動させられて、デッキ部に対して組織を圧縮及びクランプする。続いて、カートリッジ本体内に取り外し可能に格納されたステープルを、組織内に配備することができる。カートリッジ本体は、その内部に画定されたステープルキャビティを含み、ステープルは、ステープルキャビティ内に取り外し可能に格納される。ステープルキャビティは、６つの長手方向列に配置されている。３つの列のステープルキャビティは、長手方向スロットの第１の側に位置付けられ、３つの列のステープルキャビティは、長手方向スロットの第２の側に位置付けられている。ステープルキャビティ及びステープルの他の配置も可能であり得る。
【００１１】
ステープルは、カートリッジ本体内のステープル駆動部によって支持される。駆動部は、第１の、すなわち未発射位置と、ステープルキャビティからステープルを排出する、第２の、すなわち発射位置との間で移動可能である。駆動部は、カートリッジ本体の底部周辺に延在する保持具によってカートリッジ本体内に保持され、また、カートリッジ本体を把持し、保持具をカートリッジ本体に対して保持するように構成された、弾性部材を含む。駆動部は、スレッドによってそれらの未発射位置とそれらの発射位置との間で移動可能である。スレッドは、近位端に隣接した近位位置と、遠位端に隣接した遠位位置との間で移動可能である。スレッドは、駆動部の下を摺動し、駆動部を持ち上げるように構成された複数の傾斜面を備え、ステープルがその上に支持され、アンビルに向かう。
【００１２】
上記に加えて、スレッドは発射部材によって遠位に移動される。発射部材は、スレッドに接触し、スレッドを遠位端に向かって押し出すように構成されている。カートリッジ本体内に画定された長手方向スロットは、発射部材を受け入れるように構成されている。アンビルは、発射部材を受け入れるように構成されたスロットも含む。発射部材は、第１のジョーに係合する第１のカムと、第２のジョーに係合する第２のカムとを更に備える。発射部材を遠位に前進させる際、第１のカム及び第２のカムは、ステープルカートリッジのデッキ部とアンビルとの間の距離、すなわち組織隙間を制御することができる。発射部材はまた、ステープルカートリッジとアンビルとの中間に捕捉された組織を切除するように構成されたナイフも備える。ステープルがナイフよりも前方に排出されるように、ナイフが傾斜面に対して少なくとも部分的に近位側に位置付けられることが望ましい。
【００１３】
図１は、種々の異なる外科手術を実施するために使用されることができるモータ駆動（電気機械的）外科用システム１を示している。その図に見られるように、外科用システム１の一例は、電動手持ち式電気機械的外科用器具による作動及び操作のためにそれぞれ構成された複数の異なる外科用ツール器具（本明細書では「アダプタ」と称される）のうち、それに選択的に取り付けられるように構成された電動手持ち式電気機械的外科用器具１００を含む。図１に示されるように、手持ち式外科用器具１００は、アダプタ２００と選択的に接続するように構成され、ひいては、アダプタ２００は、単回使用装填ユニット（「ＳＵＬＵ」）又は使い捨て装填ユニット（「ＤＬＵ」）又は複数回使用装填ユニット（「ＭＵＬＵ」）を備えるエンドエフェクタと選択的に接続するように構成されている。別の外科用システムの実施形態では、アダプタ２００の様々な形態がまた、ロボット制御外科用システム又は自動外科用システムのツール駆動アセンブリと共に効果的に使用されることができる。例えば、本明細書で開示する外科用ツールアセンブリは、種々のロボットシステム、器具、構成要素及び方法、例えば、限定されないが、参照によって全体内容が本明細書に組み込まれる米国特許第９，０７２，５３５号、発明の名称「ＳＵＲＧＩＣＡＬ  ＳＴＡＰＬＩＮＧ  ＩＮＳＴＲＵＭＥＮＴＳ  ＷＩＴＨ  ＲＯＴＡＴＡＢＬＥ  ＳＴＡＰＬＥ  ＤＥＰＬＯＹＭＥＮＴ  ＡＲＲＡＮＧＥＭＥＮＴＳ」に開示されるものと共に使用されてもよい。
【００１４】
図１及び図２に示されるように、外科用器具１００は、パワーパック１０１と、パワーパック１０１を選択的に受容して実質的に包囲するように構成された外側シェルハウジング１０と、を含む。パワーパック１０１はまた、本明細書ではハンドルアセンブリ１０１と称されることもある。例えば、外科用器具１００の一形態は、その開示全体が参照により本明細書に組み込まれる、「ＨＡＮＤＨＥＬＤ  ＥＬＥＣＴＲＯＭＥＣＨＡＮＩＣＡＬ  ＳＵＲＧＩＣＡＬ  ＳＹＳＴＥＭ」と題された、国際公開第２０１６／０５７２２５（Ａ１）号、国際出願第ＰＣＴ／ＵＳ２０１５／０５１８３７号に開示されている。外科用器具１００の様々な特徴は、本明細書に開示される本発明の様々な特徴を理解するために必要なものを超えては本明細書に開示されず、更なる詳細は、国際公開第２０１６／０５７２２５（Ａ１）号及び参照により本明細書に組み込まれる他の参考文献に対する参照から収集されることができることが理解される。
【００１５】
図３に示されるように、外側シェルハウジング１０は、遠位半部１０ａと、遠位半部１０ａ及び近位半部１０ｂの上縁部に沿って位置するヒンジ１６によって遠位半部１０ａに回動可能に接続された近位半部１０ｂとを含む。接合されると、遠位半部１０ａ及び近位半部１０ｂは、パワーパック１０１が選択的に位置するシェル空洞１０ｃを内部に画定する。遠位半部１０ａ及び近位半部１０ｂのそれぞれは、それぞれの上側シェル部分１２ａ、１２ｂ、及び対応する下側シェル部分１４ａ、１４ｂを含む。下側シェル部分１４ａ、１４ｂは、下側シェル部分１４ａ、１４ｂを互いに選択的に固定し且つシェルハウジング１０を閉鎖状態に維持するためのスナップ閉鎖機構１８を画定する。シェルハウジング１０の遠位半部１０ａは、アダプタ２００の対応する駆動連結アセンブリ２１０を受け入れるように構成された接続部分２０を画定する（図５を参照）。具体的には、シェルハウジング１０の遠位半部１０ａは、アダプタ２００が外科用器具１００に嵌合されたときにアダプタ２００の駆動連結アセンブリ２１０の一部を受容する凹部を有する。
【００１６】
遠位半部１０ａの接続部分２０は、図５に示されるように、その内側表面から半径方向内側に突出する一対の軸方向に延在するガイドレール２１ａ、２１ｂを画定する。ガイドレール２１ａ、２１ｂは、アダプタ２００が外科用器具１００に嵌合されたときに、アダプタ２００を外科用器具１００に対して回転的に配向するのを支援する。遠位半部１０ａの接続部分２０は、遠位側に面する表面に形成され且つ互いに共通の平面又は線に配置された３つの開口部２２ａ、２２ｂ、２２ｃを画定する。遠位半部１０ａの接続部分２０はまた、その遠位側に面する表面に同様に形成された細長スロット２４を画定する。遠位半部１０ａの接続部分２０は、更に、その表面に形成された雌接続機構２６（図２を参照）を画定する。雌接続機構２６は、アダプタ２００の雄接続機構と選択的に係合する。
【００１７】
シェルハウジング１０の遠位半部１０ａは、遠位側に面するトグル制御ボタン３０を支持する。トグル制御ボタン３０は、それに対応する力又はそれに押し下げる力を加えると、左、右、上及び下方向に作動されることができる。シェルハウジング１０の遠位半部１０ａは、右側対の制御ボタン３２ａ、３２ｂ（図３を参照）；及び左側対の制御ボタン３４ａ、３４ｂ（図２を参照）を支持する。右側制御ボタン３２ａ、３２ｂ及び左側制御ボタン３４ａ、３４ｂは、それに対応する力又はそれに押し下げる力を加えると作動されることができる。シェルハウジング１０の近位半部１０ｂは、右側制御ボタン３６ａ（図３を参照）及び左側制御ボタン３６ｂ（図２を参照）を支持する。右側制御ボタン３６ａ及び左側制御ボタン３６ｂは、それに対応する力又はそれに押し下げる力を加えると作動されることができる。
【００１８】
シェルハウジング１０は、遠位半部１０ａ内に選択的に支持された無菌バリアプレートアセンブリ６０を含む。具体的には、無菌バリアプレートアセンブリ６０は、遠位半部１０ａの接続部分２０の後方及びシェルハウジング１０のシェル空洞１０ｃ内に配設される。プレートアセンブリ６０は、３つの連結シャフト６４ａ、６４ｂ、６４ｃを回転可能に支持するプレート６２を含む（図３及び図５を参照）。各連結シャフト６４ａ、６４ｂ、６４ｃは、プレート６２の対向する側面から延在し、３つに分岐した横断面プロファイルを有する。各連結シャフト６４ａ、６４ｂ、６４ｃは、無菌バリアプレートアセンブリ６０がシェルハウジング１０のシェル空洞１０ｃ内に配設されたときに、遠位半部１０ａの接続部分２０のそれぞれの開口部２２ａ、２２ｂ、２２ｃを通って延在している。プレートアセンブリ６０は、更に、プレート６２上に支持された電気通過コネクタ６６を含む。通過コネクタ６６は、プレート６２の対向する側面から延在している。通過コネクタ６６は、プレート６２にわたって電気的接続を延在させるための電気導管をそれぞれ含む複数の接触経路を画定する。プレートアセンブリ６０が、シェルハウジング１０のシェル空洞１０ｃ内に配設されるとき、連結シャフト６４ａ、６４ｂ、６４ｃの遠位端及び通過コネクタ６６の遠位端は、シェルハウジング１０の遠位半部１０ａの接続部分２０内に配設されるか又は位置し、アダプタ２００のそれぞれの対応する機構を電気的及び／又は機械的に係合するように構成されている。
【００１９】
図３及び図４を参照すると、パワーパック又はハンドルアセンブリ１０１は、下側ハウジング部分１０４と、下側ハウジング部分１０４から延在する及び／又は下側ハウジング部分上に支持された上側ハウジング部分１０８とを有する内側ハンドルハウジング１１０を含む。下側ハウジング部分１０４及び上側ハウジング部分１０８は、遠位半部１１０ａと、複数の締結具によって遠位半部１１０ａに接続可能な近位半部１１０ｂとに分離される。接合されると、遠位半部１１０ａ及び近位半部１１０ｂは、内部にパワーパックコアアセンブリ１０６が位置する内側ハウジング空洞１１０ｃを有する内側ハンドルハウジング１１０を画定する。パワーパックコアアセンブリ１０６は、外科用器具１００の種々の動作を制御するように構成されている。
【００２０】
内側ハンドルハウジング１１０の遠位半部１１０ａは、シェルハウジング１０の遠位トグル制御ボタン３０と動作可能に位置合わせされた遠位トグル制御インターフェイス１３０を支持する。使用中、パワーパック１０１がシェルハウジング１０内に配設されると、トグル制御ボタン３０の作動は、トグル制御インターフェイス１３０に力を及ぼす。内側ハンドルハウジング１１０の遠位半部１１０ａはまた、右側対の制御インターフェイス（図示せず）、及び左側対の制御インターフェイス１３２ａ、１３２ｂを支持する。使用中、パワーパック１０１がシェルハウジング１０内に配設されると、シェルハウジング１０の遠位半部１０ａの右側対の制御ボタン又は左側対の制御ボタンのうちの一方の作動は、内側ハンドルハウジング１１０の遠位半部１１０ａの右側対の制御インターフェイス１３２ａ、１３２ｂ又は左側対の制御インターフェイス１３２ａ、１３２ｂのそれぞれ１つに力を及ぼす。
【００２１】
図１〜図５を参照すると、内側ハンドルハウジング１１０は、パワーパックコアアセンブリ１０６が位置するハウジングを提供する。パワーパックコアアセンブリ１０６は、バッテリ回路１４０、コントローラ回路基板１４２、及び外科用器具１００の電気部品のいずれかに電力を供給するように構成された再充電可能バッテリ１４４を含む。コントローラ回路基板１４２は、モータコントローラ回路基板１４２ａと、主コントローラ回路基板１４２ｂと、モータコントローラ回路基板１４２ａと主コントローラ回路基板１４２ｂとを相互接続する第１のリボンケーブル１４２ｃとを含む。パワーパックコアアセンブリ１０６は、更に、主コントローラ回路基板１４２ｂ上に支持された表示画面１４６を含む。表示画面１４６は、内側ハンドルハウジング１１０の近位半部１１０ｂに設けられたクリア又は透明窓１１０ｄ（図３を参照）を介して視認可能である。内側ハンドルハウジング１１０の少なくとも一部分は、透明な剛性プラスチックなどから製作されることができることが想定される。シェルハウジング１０は、内部に形成された窓（表示画面１４６と視覚的に位置合わせされ且つ内側ハンドルハウジング１１０の近位半部１１０ｂの窓１１０ｄを有する）を含むことができるか、及び／又はシェルハウジング１０は、透明な剛性プラスチックなどから製作されることができることが更に想定される。
【００２２】
パワーパックコアアセンブリ１０６は、更に、モータブラケット１４８によって支持され且つそれぞれコントローラ回路基板１４２及びバッテリ１４４に電気的に接続された、第１のモータ１５２、第２のモータ１５４、及び第３のモータ１５６を含む。モータ１５２、１５４、１５６は、モータコントローラ回路基板１４２ａと主コントローラ回路基板１４２ｂとの間に配設される。各モータ１５２、１５４、１５６は、そこから延在するそれぞれのモータシャフト１５２ａ、１５４ａ、１５６ａを含む。各モータシャフト１５２ａ、１５４ａ、１５６ａは、回転力又はトルクを伝達するための３つに分岐した横断面プロファイルを有する。各モータ１５２、１５４、１５６は、それぞれのモータコントローラによって制御される。外科用器具１００の様々な動作を実行するために、それぞれのモータ１５２、１５４、１５６によるモータシャフト１５２ａ、１５４ａ、１５６ａの回転は、アダプタ２００のシャフト及び／又はギア構成要素を駆動するように機能する。特に、パワーパックコアアセンブリ１０６のモータ１５２、１５４、１５６は、アダプタ２００のシャフト及び／又はギア構成要素を駆動するように構成されている。
【００２３】
図１及び図５に示されるように、外科用器具１００は、アダプタ２００と選択的に接続するように構成され、ひいてはアダプタ２００は、エンドエフェクタ５００と選択的に接続するように構成されている。アダプタ２００は、外側ノブハウジング２０２と、ノブハウジング２０２の遠位端から延在する外管２０６とを含む。ノブハウジング２０２及び外管２０６は、アダプタアセンブリ２００の構成要素を収容するように構成され且つ寸法決めされている。外管２０６は、内視鏡挿入のために寸法決めされており、具体的には、外管は、典型的なトロカールポート、カニューレなどを介して通過可能である。ノブハウジング２０２は、トロカールポート、カニューレなどに入らないように寸法決めされている。ノブハウジング２０２は、外科用器具１００の外側シェルハウジング１０の接続部分２０に接続するように構成され且つ適合されている。
【００２４】
アダプタ２００は、図１０に示され且つ以下により詳細に説明されるように、外科用器具１００の第１又は第２の連結シャフト６４ａ、６４ｂのいずれかの回転を、駆動アセンブリ５４０及びエンドエフェクタ５００の関節接合リンク５６０を動作させるのに有用な軸方向並進に変換するように構成されている。図６に示されるように、アダプタ２００は、第１の回転可能な近位駆動シャフト２１２、第２の回転可能な近位駆動シャフト２１４及び第３の回転可能な近位駆動シャフト２１６を内部に回転可能に支持する、近位内側ハウジングアセンブリ２０４を含む。各近位駆動シャフト２１２、２１４、２１６は、外科用器具１００のそれぞれの連結シャフト６４ａ、６４ｂ及び６４ｃから回転力を受ける回転受容部材として機能する。加えて、アダプタ２００の駆動連結アセンブリ２１０はまた、互いに共通の平面又は線に配置された第１、第２、及び第３コネクタスリーブ２１８、２２０及び２２２をそれぞれ回転可能に支持するように構成されている。各コネクタスリーブ２１８、２２０、２２２は、上述したように、外科用器具１００のそれぞれの第１、第２、及び第３の連結シャフト６４ａ、６４ｂ、６４ｃと嵌合するように構成されている。各コネクタスリーブ２１８、２２２、２２０は、アダプタ２００のそれぞれの第１、第２、及び第３の近位駆動シャフト２１２、２１４、２１６の近位端と嵌合するように更に構成されている。
【００２５】
アダプタ２００の駆動連結アセンブリ２１０はまた、それぞれの第１、第２及び第３のコネクタスリーブ２１８、２２０、２２２の遠位側に配設された第１、第２及び第３の付勢部材２２４、２２６、及び２２８を含む。各付勢部材２２４、２２６、及び２２８は、それぞれの第１、第２、及び第３の回転可能な近位駆動シャフト２１２、２１４及び２１６の周りに配設される。アダプタ２００が外科用器具１００に接続されるときに、コネクタスリーブ２１８、２２２及び２２０が外科用器具１００のそれぞれの連結シャフト６４ａ、６４ｂ、及び６４ｃの遠位端と係合した状態を維持するのを助けるために、付勢部材２２４、２２６、及び２２８は、それぞれのコネクタスリーブ２１８、２２２、及び２２０に作用する。
【００２６】
また、図示される構成では、アダプタ２００は、それぞれ内側ハウジングアセンブリ２０４及び外管２０６内に配設される第１、第２、及び第３の駆動変換アセンブリ２４０、２５０、２６０を含む。各駆動変換アセンブリ２４０、２５０、２６０は、外科用器具１００の第１、第２、及び第３の連結シャフト６４ａ、６４ｂ、及び６４ｃの回転を、エンドエフェクタ５００の関節運動を達成するためにアダプタ２００の関節接合ドライバ又はバー２５８の軸方向並進に、アダプタ２００の回転を達成するためにアダプタ２００のリングギア２６６の回転に、又はエンドエフェクタ５００の閉鎖、開放、及び発射を達成するためにアダプタ２００の遠位駆動部材２４８の軸方向並進に伝達又は変換するように構成及び適合されている。
【００２７】
更に図６を参照すると、第１の力／回転伝達／変換アセンブリ２４０は、上述したように、内側ハウジングアセンブリ２０４内で回転可能に支持される、第１の回転可能な近位駆動シャフト２１２を含む。第１の回転可能な近位駆動シャフト２１２は、外科用器具１００のそれぞれの第１の連結シャフト６４ａに接続された第１のコネクタスリーブ２１８と接続するように構成された非円形の又は非円形状に成形された近位端部分を含む。第１の回転可能な近位駆動シャフト２１２は、ねじ付き遠位端部分２１２ｂを含む。第１の力／回転伝達／変換アセンブリ２４０は、更に、第１の回転可能な近位駆動シャフト２１２のねじ付き遠位端部分２１２ｂに螺合係合し、且つ外管２０６内に摺動可能に配設された駆動連結ナット２４４を含む。駆動連結ナット２４４は、第１の回転可能な近位駆動シャフト２１２が回転するときに回転が防止されるように外管２０６の近位コア管部分内に摺動可能にキー止めされる。このようにして、第１の回転可能な近位駆動シャフト２１２が回転すると、駆動連結ナット２４４は、第１の回転可能な近位駆動シャフト２１２のねじ付き遠位端部分２１２ｂに沿って、ひいては外管２０６を通って、及び／又は外管に沿って並進される。
【００２８】
第１の力／回転伝達／変換アセンブリ２４０は、更に、駆動連結ナット２４４の軸方向移動が遠位駆動部材２４８の対応する軸方向移動量をもたらすように、駆動連結ナット２４４と機械的に係合された遠位駆動部材２４８を含む。遠位駆動部材２４８の遠位端部分は、エンドエフェクタ５００の駆動アセンブリ５４０の係合部材５４６と選択的に係合するように構成され且つ寸法決めされた接続部材２４７を支持する（図１０）。駆動連結ナット２４４及び／又は遠位駆動部材２４８は、エンドエフェクタ５００の構成要素への力伝達部材として機能する。動作中、外科用器具１００の第１の連結シャフト６４ａの回転の結果として、第１の回転可能な近位駆動シャフト２１２が回転されると、駆動連結ナット２４４は、第１の回転可能な近位駆動シャフト２１２に沿って軸方向に並進される。駆動連結ナット２４４が第１の回転可能な近位駆動シャフト２１２に沿って軸方向に並進されると、遠位駆動部材２４８は、外管２０６に対して軸方向に並進される。遠位駆動部材２４８が軸方向に並進され、接続部材２４７が接続され、エンドエフェクタ５００の駆動アセンブリ５４０に取り付けられた中空駆動部材５４８と係合されると（図１０）、遠位駆動部材２４８は、エンドエフェクタ５００の駆動アセンブリ５４０の付随的な軸方向並進を引き起こし、エンドエフェクタ５００のツールアセンブリ部分６００の閉鎖及びツールアセンブリ内の様々な構成要素の発射を達成する。
【００２９】
更に図６を参照すると、アダプタ２００の第２の駆動変換アセンブリ２５０は、内側ハウジングアセンブリ２０４内に回転可能に支持される第２の近位駆動シャフト２１４を含む。第２の回転可能な近位駆動シャフト２１４は、外科用器具１００の第２の連結シャフト６４ｃと接続するように構成された非円形の又は非円形状に成形された近位端部分を含む。第２の回転可能な近位駆動シャフト２１４は、更に、関節ベアリングアセンブリ２５２の関節ベアリングハウジング２５３と螺合係合するように構成されたねじ付き遠位端部分２１４ａを含む。図６〜図９を参照すると、関節ベアリングハウジング２５３は、外側レース２５９に対して独立して回転可能な内側レース２５７を有する関節ベアリング２５５を支持する。関節ベアリングハウジング２５３は、非円形外側プロファイル、例えば、涙滴形状を有し、これは、内側ハウジングハブ２０４ａの相補的な孔（図示せず）内に摺動可能且つ非回転可能に配設される。アダプタ２００の第２の駆動変換アセンブリ２５０は、更に、関節ベアリング２５５の内側レース２５７に固定された近位部分を有する関節接合バー２５８を含む。関節接合バー２５８の遠位部分は、エンドエフェクタ５００の関節接合リンク５６０のフック５６２（図１０）を受け入れるように構成されたスロット２５８ａを内部に含む。関節接合バー２５８は、エンドエフェクタ５００の構成要素への力伝達部材として機能する。図示された構成では、また国際公開第２０１６／０５７２２５（Ａ１）号に更に記載されるように、関節ベアリングアセンブリ２５２は、回転可能であり且つ長手方向に並進可能であり、第１及び第２の顎部材６１０、７００が接近位置にあるとき、及び／又は顎部材６１０、７００が関節運動されたとき、エンドエフェクタ５００の自由に妨げられない回転運動を可能にするように構成されている。
【００３０】
動作中、第２の近位駆動シャフト２１４が回転されると、関節ベアリングアセンブリ２５２は、第２の近位駆動シャフト２１４のねじ付き遠位端部分２１４ａに沿って軸方向に並進され、これは、ひいては関節接合バー２５８を外管２０６に対して軸方向に並進させる。関節接合バー２５８が軸方向に並進されると、エンドエフェクタ５００の関節接合リンク５６０に連結された関節接合バー２５８は、エンドエフェクタ５００の関節接合リンク５６０の付随的な軸方向並進を引き起こし、ツールアセンブリ６００の関節運動を達成する。関節接合バー２５８は、関節ベアリング２５３の内側レース２５７に固定され、したがって、関節ベアリング２５３の外側レース２５９に対して長手方向軸を中心に自由に回転する。
【００３１】
図６に示されるように、アダプタ２００は、内側ハウジングアセンブリ２０４内に支持された第３の駆動変換アセンブリ２６０を含む。第３の駆動変換アセンブリ２６０は、外側ノブハウジング２０２内に固定的に支持され且つ外側ノブハウジングに接続される回転リングギア２６６を含む。リングギア２６６は、ギア歯２６６ａの内部アレイを画定し、一対の直径方向に対向する径方向に延在する突起２６６ｂを含む。突起２６６ｂは、リングギア２６６の回転が外側ノブハウジング２０２の回転をもたらし、逆もまた同様になるように、外側ノブハウジング２０２内に画定された凹部内に配設されるように構成されている。第３の駆動変換アセンブリ２６０は、更に、上述したように、内側ハウジングアセンブリ２０４内に回転可能に支持された第３の回転可能な近位駆動シャフト２１６を含む。第３の回転可能な近位駆動シャフト２１６は、第３のコネクタ２２０との接続のために構成された非円形の又は非円形状に成形された近位端部分を含む。第３の回転可能な近位駆動シャフト２１６は、その遠位端にキー止めされた平歯車２１６を含む。逆平歯車２６４は、第３の回転可能な近位駆動シャフト２１６の平歯車２１６ａとリングギア２６６のギア歯２６６ａとを相互係合する。動作中、第３の回転可能な近位駆動シャフト２１６が回転すると、外科用器具１００の第３の連結シャフト６４ｂの回転に起因して、第３の回転可能な近位駆動シャフト２１６の平歯車２１６ａは、逆転ギア２６４と係合して逆転ギア２６４を回転させる。逆転ギア２６４が回転すると、リングギア２６６も回転し、それによって外側ノブハウジング２０２を回転させる。外側ノブハウジング２０２の回転は、外管２０６をアダプタ２００の長手方向軸を中心に回転させる。外管２０６が回転すると、アダプタ２００の遠位端部分に接続されたエンドエフェクタ５００もまた、アダプタ２００の長手方向軸を中心に回転する。
【００３２】
アダプタ２００は、更に、アダプタ２００の駆動連結アセンブリ２１０から突出するステム２７３（図６）上に支持された取り付け／取り外しボタン２７２（図５）を含む。取り付け／取り外しボタン２７２は、ステム２７３内又はその周囲に配置された付勢部材（図示せず）によって、非作動状態へと付勢される。ボタン２７２は、外科用器具１００の接続部分２０の対応するリップ又はレッジの後方にスナップ嵌めするように構成されたリップ又はレッジを含む。国際公開第２０１６／０５７２２５（Ａ１）号にも記載されるように、アダプタ２００は、更に、遠位駆動部材２４８の軸方向位置を固定するためのロック機構２８０を含むことができる。図２１に見られるように、例えば、ロック機構２８０は、外側ノブハウジング２０２上に摺動可能に支持されたボタン２８２を含む。ロックボタン２８２は、外管２０６を通って長手方向に延在する作動バー（図示せず）に接続される。作動バーは、ロックボタン２８２の移動に応じて移動する。動作中、遠位駆動部材２４８の位置及び／又は向きをロックするために、ユーザは、ロックボタン２８２を遠位位置から近位位置へと移動させ、それにより、ロックの遠位面がカム部材２８８との接触から外れて移動するようにロックアウト（図示せず）を近位方向に移動させ、これによってカム部材２８８を遠位駆動部材２４８の凹部２４９内にカム作用させる。このようにして、遠位駆動部材２４８は、遠位及び／又は近位方向の動きを防止する。ロックボタン２８２が近位位置から遠位位置に移動されると、作動バーの遠位端は、付勢部材（図示せず）の付勢に対抗してロックアウト（図示せず）内へと遠位方向に移動して、カム部材２８８を凹部２４９から押し出すことによって、遠位駆動部材２４８の軸方向並進及び半径方向移動を可能にする。
【００３３】
再び図６に戻ると、アダプタ２００は、外側ノブハウジング２０２及び内側ハウジングアセンブリ２０４上及びその内部に支持された電気アセンブリ２９０を含む。電気アセンブリ２９０は、外科用器具１００のシェルハウジング１０のプレートアセンブリの通過コネクタに電気的に接続するために、回路基板２９４上に支持された複数の電気接触ブレード２９２を含む。電気アセンブリ２９０は、較正及び通信情報（すなわち、ライフサイクル情報、システム情報、力情報）が、外科用器具１００のパワーパックコアアセンブリ１０６の電気レセプタクル部分を介して外科用器具１００の回路基板に渡されることを可能にする役割を果たす。電気アセンブリ２９０は、更に、回路基板２９４に電気的に接続された歪みゲージ２９６を含む。歪みゲージ２９６は、内側ハウジングアセンブリ２０４内に取り付けられて、歪みゲージ２９６の回転をそれに対して制限する。第１の回転可能な近位駆動シャフト２１２は、歪みゲージ２９６を通って延在し、歪みゲージ２９６が第１の回転可能な近位駆動シャフト２１２によって示される発射／クランプ負荷に閉ループフィードバックを提供することを可能にする。電気アセンブリ２９０はまた、外管２０６の駆動連結ナット２４４に沿って回転不能且つ摺動可能に配設されたスリップリング２９８を含む。スリップリング２９８は、回路基板２９４と電気的に接続され、第１の回転可能な近位駆動シャフト２１２の回転、及び駆動連結ナット２４４の軸方向並進を可能にすると共に、スリップリング２９８とアダプタ２００内の少なくとも別の電気部品の電気的接触を更に維持すると共に、他の電気部品が第１の回転可能な近位駆動シャフト２１２及び駆動連結ナット２４４を中心に回転することを可能にするように機能する。
【００３４】
更に図６を参照すると、内側ハウジングアセンブリ２０４は、実質的に円形の外側プロファイルを画定する遠位方向に配向された環状壁２０７を有するハブ２０５を含む。ハブ２０５は、内部に関節ベアリングアセンブリ２５２を摺動可能に受容するような形状及び寸法とされた実質的に涙滴形状の内側凹部又はボアを含む。内側ハウジングアセンブリ２０４は、更に、ハブ２０４ａの遠位方向に配向された環状壁２０７の遠位面に固定されたリングプレート２５４を含む。リングプレート２５４は、第２の近位駆動シャフト２１４と位置合わせされ且つその遠位先端を回転可能に受容するようなサイズ及び形状とされた開口部２５４ａを画定する。このようにして、第２の近位駆動シャフト２１４の遠位先端は支持され、第２の近位駆動シャフト２１４が回転されて関節ベアリングアセンブリ２５２を軸方向に並進させる際に、第２の近位駆動シャフト２１４の長手方向回転軸から離れて半径方向に移動することが防止される。
【００３５】
一実施例では、図１０を参照すると、エンドエフェクタ５００は、単回使用のために構成されることができ（「使い捨て装填ユニット−ＤＬＵ」）、現在は米国特許第９，７９５，３８４号である「ＬＯＡＤＩＮＧ  ＵＮＩＴ  ＨＡＶＩＮＧ  ＤＲＩＶＥ  ＡＳＳＥＭＢＬＹ  ＬＯＣＫＩＮＧ  ＭＥＣＨＡＮＩＳＭ」と題された米国特許出願公開第２０１０／０３０１０９７号、現在は米国特許第８，２９２，１５８号である「ＬＯＣＫＩＮＧ  ＭＥＣＨＡＮＩＳＭ  ＦＯＲ  ＵＳＥ  ＷＩＴＨ  ＬＯＡＤＩＮＧ  ＵＮＩＴＳ」と題された米国特許出願公開第２０１２／０２１７２８４号、及び「ＡＤＡＰＴＥＲ  ＡＳＳＥＭＢＬＩＥＳ  ＦＯＲ  ＩＮＴＥＲＣＯＮＮＥＣＴＩＮＧ  ＳＵＲＧＩＣＡＬ  ＬＯＡＤＩＮＧ  ＵＮＩＴＳ  ＡＮＤ  ＨＡＮＤＬＥ  ＡＳＳＥＭＢＬＩＥＳ」と題された米国特許出願公開第２０１５／０３７４３７１号に開示されているＤＬＵ’のものと同様とすることができ、そのような文献のそれぞれの開示全体は、参照により本明細書に組み込まれる。エンドエフェクタ５００は、「ＭＵＬＴＩ−ＵＳＥ  ＬＯＡＤＩＮＧ  ＵＮＩＴ」と題された米国特許出願公開第２０１７／００９５２５０号に開示されているそれらのエンドエフェクタなどの複数回使用（ＭＵＬＵ）のために構成されることができることも想定され、その開示全体は、参照により本明細書に組み込まれる。
【００３６】
図示された外科用器具１００は、ステープルを発射するが、クリップ及び２部締結具などの任意の他の好適な締結具を発射するように適合されてもよい。図示された構成では、エンドエフェクタ５００は、装填ユニット５１０を備える。装填ユニット５１０は、近位本体部分５２０及びツールアセンブリ６００を備える。ツールアセンブリ６００は、アンビルアセンブリ６１２を備える第１の顎部材６１０と、カートリッジアセンブリ７０１を備える第２の顎部材７００とを含む一対の顎部材を含む。一方の顎部材は、顎部材間の組織のクランプを可能にするために、他方に対して回動可能である。カートリッジアセンブリ７０１は、アンビルアセンブリ６１２に対して移動可能であり、開放位置又はクランプ解除位置と閉鎖位置又は近接位置との間で移動可能である。しかしながら、アンビルアセンブリ６１２、又はカートリッジアセンブリ７０１及びアンビルアセンブリ６１２の双方は、移動可能とすることができる。
【００３７】
カートリッジアセンブリ７０１は、カートリッジ本体７０２を有し、場合によっては、スナップ嵌め接続、戻り止め、ラッチ、又は別のタイプの接続によってチャネル７２０に取り付けられる支持プレート７１０を有する。カートリッジアセンブリ７０１は、組織接触面７０８内の開口部として構成された、複数の横方向に離間したステープル保持スロット７０６内で移動可能に支持される締結具又はステープル７０４を含む。各スロット７０６は、その内部に締結具又はステープルを受容するように構成されている。カートリッジ本体７０２はまた、ステープルプッシャ７０９を収容し且つ底部において（すなわち、組織接触面から離れて）開放しており、作動スレッド７１２がそれを通って長手方向に通過することを可能にする、複数のカムくさびスロットを画定する。カートリッジアセンブリ７０１は、ステープルがカートリッジ本体７０２から発射された後にチャネル７２０から取り外し可能である。別の取り外し可能なカートリッジアセンブリは、外科用器具１００が再び作動されて追加の締結具又はステープルを発射することができるように、チャネル７２０上に装填されることができる。カートリッジアセンブリに関する更なる詳細は、例えば、米国特許出願公開第２０１７／００９５２５０号、並びに参照により本明細書に組み込まれている種々の他の文献において見出すことができる。
【００３８】
カートリッジアセンブリ７０１は、アンビルアセンブリ６１２に対して回動可能であり、トロカールのカニューレを介した挿入のために、開放位置又はクランプ解除位置と、閉鎖位置又はクランプ位置との間で移動可能である。近位本体部分５２０は、少なくとも駆動アセンブリ５４０及び関節接合リンク５６０を含む。１つの構成では、駆動アセンブリ５４０は、遠位端５４４と近位係合部分５４６とを有する可撓性駆動ビーム５４２を含む。係合部分５４６の近位端は、駆動部材５４８をビーム５４２の近位端に固定的に固定するために中空駆動部材５４８と係合する、直径方向に対向する内向きに延在するフィンガ５４７を含む。駆動部材５４８は、エンドエフェクタ５００がアダプタ２００の遠位端に取り付けられたときにアダプタ２００の第１の駆動変換アセンブリ２４０の駆動管２４６の接続部材２４７を受容する近位ポート孔を画定する。
【００３９】
エンドエフェクタ５００は、更に、外側ハウジング５３２と、外側ハウジング５３２内に配設された内側ハウジング５３４とを備えるハウジングアセンブリ５３０を含む。第１及び第２のラグ５３６は、それぞれ、国際公開第２０１６／０５７２２５（Ａ１）号に更に詳細に記載されているように、外側ハウジング５３２の近位端５３３の外面上に配設され、アダプタ２００の遠位端と動作可能に係合するように構成されている。
【００４０】
図１０を参照すると、例えば、アンビルアセンブリ６１２は、アンビルカバー６３０と、複数のステープル成形凹部を含むアンビルプレート６２０とを含む。アンビルプレート６２０は、アンビルカバー６３０の下面に固定される。ツールアセンブリ６００が近接位置にあるとき、ステープル成形凹部は、カートリッジアセンブリ７０１のステープル受容スロットと並置的に位置合わせされて配置される。
【００４１】
ツールアセンブリ６００は、上側取り付け部分８１０及び下側取り付け部分８１２を備える取り付けアセンブリ８００を含む。取り付けテール６３２は、アンビルカバー６３０の近位端６３１から近位方向に突出する。中央に配置された回動部材８１４は、連結部材８２０内に形成された開口部８２２を通って、上側及び下側取り付け部分８１０及び８１２のそれぞれから延在する。少なくとも１つの構成では、上側取り付け部分８１０の回動部材８１４もまた、取り付けテール部６３２内の開口部６３４を通って延在する。連結部材８２０は、それぞれ、外側ハウジング５３２及び内側ハウジング５３４の遠位端に形成された対応する溝内に受容されるように構成された連結近位部分８２４を含む。エンドエフェクタ５００の近位本体部分５２０は、フック付き近位端５６２を有する関節接合リンク５６０を含む。関節接合リンク５６０は、内側ハウジングにおけるスロット内に摺動可能に配置されるように寸法決めされている。一対のＨブロックアセンブリ８３０は、外側ハウジング５３２の遠位端に隣接し且つ軸方向駆動アセンブリ５４０の遠位端５４４に隣接して配置され、外科用ステープル留め装置１０の関節運動及び発射中に可撓性駆動ビーム５４２の外向きの座屈及び膨張を防止する。各Ｈブロックアセンブリ８３０は、外側ハウジング５３２の遠位端に固定的に固定された近位端と、取り付けアセンブリ８００に固定的に固定された遠位端と、を含む可撓性本体８３２を含む。１つの構成では、関節接合リンクの遠位端５６４は、右Ｈブロックアセンブリ８３０に回動可能にピン留めされる。関節接合リンク５６０の軸方向移動は、ツールアセンブリを本体部分５２０に対して関節運動させることになる。
【００４２】
図１１〜図１５は、以下に述べる相違点を除き、上述したアダプタ２００と実質的に同一のアダプタ２００’を図示している。図１１に見られるように、アダプタ２００’は、第１の直径「ＦＤ」を有し且つ外側ノブハウジング２０２内に取り付けられた近位端部分９１０を有する外管２０６を含む。近位端部分９１０は、例えば国際公開第２０１６／０５７２２５（Ａ１）号に更に詳細に記載されている方法で、内側ハウジングアセンブリ２０４に連結されてもよく、ないしは別の方法で内部に支持されてもよい。近位端部分９１０は、第２の直径「ＳＤ」を有する中央管部分９１２から近位方向に延在する。図示された実施形態では、エンドエフェクタ５００は、シャフトアセンブリ２０３又は外管２０６の遠位端９１４に連結されている。外管２０６は、図１１に見られるように、近位端部分９１０と遠位端９１４との間に延在する長手方向軸ＬＡを画定する。図１０及び図１１に見られるように、エンドエフェクタ５００の近位本体部分５２０の外側スリーブ５７０は、遠位端部分５７２及び近位端部分５７４を有する。近位端部分５７４は、中央管部分９１２の第２の直径ＳＤにほぼ等しい直径ＳＤ’を有する。遠位端部分５７２は、第３の直径「ＴＤ」を有する。１つの構成では、ＦＤ及びＴＤは、ＳＤとほぼ等しく、ＳＤよりも大きい。ＦＤ及びＴＤが等しくないが、それぞれがＳＤよりも大きい他の構成が想到される。しかしながら、ほとんどの場合、ＦＤ及びＴＤは、典型的なトロカールポート、カニューレなどを介して内視鏡的に挿入されるような寸法とされることが好ましい。少なくとも１つの構成（図１１）では、外側スリーブ５７０は、アダプタ２００’の様々な駆動及び関節構成要素を効果的に収容しながら、患者内の改善されたアクセスを容易にするために、平坦又はスカラップ状の側部５７６によって形成される。加えて、直径が減少した中央管部分９１２を提供することにより、アダプタ２００’に、改善された胸腔間のリブアクセスをもたらすことができる。
【００４３】
少なくとも１つの構成では、機械加工されることができる又は板金から作製されることができるチャネル７２０は、アンビルアセンブリ６１２とカートリッジアセンブリ７０１との間の回動関係を容易にするために対応するピン又はボス６３８（図１２）を受容するように、アンビルカバー６３０における一対の対応する孔６３６と位置合わせするように構成された一対の近位孔７２２（図１０）を含む。図示の例では、動的クランプアセンブリ５５０は、可撓性駆動ビーム５４２の遠位端５４４に取り付けられるか又はそこに形成される。動的クランプアセンブリ５５０は、その上に形成された又はそれに取り付けられた組織切断面５５４を有する、垂直本体部分５５２を含む。例えば、図１０を参照されたい。アンビル係合機構５５６は、本体部分５５２の一端に形成され、本体部分５５２の各側面から突出するアンビル係合タブ５５７を備える。同様に、チャネル係合機構５５８は、本体部分５５２の他端に形成され、本体部分５５２の各側面から突出するチャネル係合タブ５５９を備える。図１５を参照されたい。
【００４４】
上記のように、アンビルアセンブリ６１２は、アンビルプレート６２０を含む。アンビルプレート６２０は、動的クランプアセンブリ５５０が発射プロセス中に軸方向に前進するときに、動的クランプアセンブリ５５０の本体部分５５２を収容するように構成された細長スロット６２２を含む。細長スロット６２２は、細長スロット６２２の各側面に沿って延在する２つのアンビルプレートレッジ６２４の間に画定される。図１０を参照されたい。動的クランプアセンブリ５５０が遠位方向に前進すると、アンビル係合タブ５５７は、アンビルプレートレッジ６２４と摺動可能に係合して、アンビルアセンブリ６１２を標的組織上にクランプされた状態に保持する。同様に、発射動作中、動的クランプアセンブリ５５０の本体部分５５２は、チャネル７２０内の中央スロットを通って延在し、チャネル係合タブ５５９は、中央チャネルスロットの各側に沿って延在するチャネルレッジ７２５と摺動可能に係合して、カートリッジアセンブリ７０１を標的組織上にクランプされた状態に保持する。
【００４５】
図１３及び図１５を参照すると、チャネル７２０は、本明細書では未発射位置又は開始位置と称されるその最近位位置にあるときに動的クランプアセンブリ５５０を収容するように構成された、一般に７３０として指定されるドッキング領域を画定する。具体的には、ドッキング領域７３０は、動的クランプアセンブリ５５０上のチャネル係合タブ５５９間の隙間を提供して、カートリッジアセンブリ７０１が完全に開放位置に回動することを可能にする平面ドッキング面７３２によって部分的に画定される。傾斜又はカム面７２６は、ドッキング面７３２のそれぞれの遠位端から延在する。傾斜面７２６は、アンビルアセンブリ６１２及びカートリッジアセンブリ７０１を互いに対して移動させるために、動的クランプアセンブリ５５０によって係合される。他の実施形態では、同様のカム面がアンビルアセンブリ６１２上に提供されることができる。傾斜面７２６はまた、チャネル７２０と支持プレート６２０及び／又はカートリッジ本体７０２との間の位置合わせ及び／又は係合を容易にすることができることが想定される。駆動アセンブリ５４０が遠位方向に前進（発射）されると、動的クランプアセンブリ５５０上のチャネル係合タブ５５９は、対応する傾斜面７２６と係合して、カートリッジアセンブリ７０１に閉鎖運動を加え、したがってカートリッジアセンブリ７０１及びアンビルアセンブリ６１２を閉鎖する。動的クランプアセンブリ５５０の更なる遠位並進は、作動スレッド７１２をカートリッジ本体７０２を通って遠位方向に移動させ、これによって作動スレッド７１２のカムくさび７１３をステープルプッシャ７０９と連続的に係合させ、ステープルプッシャ７０９をステープル保持スロット７０６内で垂直方向に移動させ、ステープル７０４をアンビルプレート６２０のステープル成形凹部内に排出させる。ステープル７０４が保持スロット７０６から（及び組織内へ）排出された後、動的クランプアセンブリ５５０の切断縁部５５４は、動的クランプアセンブリ５５０の垂直本体部分５５２上の組織切断縁部５５４がカートリッジ本体７０２の中央スロット７０３を通って遠位方向に移動する際に、ステープル留めされた組織を切断する。ステープル７０４がカートリッジ本体７０２から排出され且つユーザが同じ器具１０を使用して追加のステープル７０４（又は別のタイプの締結具又はナイフ）を発射することを望んだ後、ユーザは、アダプタ２００’から装填ユニット５１０を取り外し、それを別の新しい又は未使用の装填ユニットと交換することができる。代替的な構成では、ユーザは、使用済みカートリッジ本体７０２を単純に取り外し、新しい未使用の又は未発射のカートリッジ本体７０２と交換することができる。
【００４６】
外科手技の間、臨床医が、採用されるアダプタの動的クランプ部材の進行又は位置を監視できることが望ましい場合がある。図１６〜２１は、エンドエフェクタ２５００の顎部を更に閉鎖し続けながら、閉鎖とステープルカートリッジからのステープルの連続的発射との両方を行うため、エンドエフェクタ２５００の動的クランプアセンブリ５５０の位置を確認するための手段を含む、別のエンドエフェクタ２５００を示す。一形態では、エンドエフェクタ２５００は、本明細書で論じる相違点を除いて、上述のツールアセンブリ６００と同一であり得るツールアセンブリ２６００を含む。ツールアセンブリ２６００は、アンビルアセンブリ２６１２を備える第１の顎部２６１０と、カートリッジアセンブリ２７０１を備える第２の顎部２７００と、を含む。一形態では、アンビルアセンブリ２６１２は、カートリッジアセンブリ２７０１と対面関係となるように構成されたステープル形成下面２６２６を含むアンビルプレート２６２０を備える。アンビルカバー２６３０は、アンビルプレート２６２０に取り付けられる。
【００４７】
図示される例では、アンビルカバー２６３０は、近位端２６４２から遠位端２６４４まで延在する本体部２６３２を備える。図示されるように、アンビルカバー２６３０はまた、標的組織がカートリッジアセンブリ２７０１内に格納された最近位のステープルを越えて近位に延在するのを防止するように機能する、一対の下向きに延在する組織止め２６４６を含んでもよい。図１７及び１８は、動的クランプアセンブリ５５０が開始位置にあるツールアセンブリ２６００を示す。別の言い方をすれば、図１７及び１８中、動的クランプアセンブリ５５０が最近位位置にある。図１６に最も具体的に見られるように、例えば、アンビルカバー本体部２６３２は、第１の側面部２６３４と、第１の側面部２６３４から横方向に離間した第２の側面部２６３６と、を備える。複数の第１の顎部補強機構２６５０、２６５２は、第１の側面部２６３４と第２の側面部２６３６との間に延在する。補強機構２６５０及び２６５２は、互いから長手方向にオフセットされて、間に第１の顎部開口部２６５４を画定する。また、第１の顎部補強機構２６５０は、近位の第１の顎部開口部２６５６によって近位端部２６４２から長手方向に分離され、第２の顎部補強機構２６５２は、図示されるように遠位の第１の顎部開口部２６５８によって遠位端部２６４４から長手方向に分離される。
【００４８】
次に図１７を参照すると、第２の顎部２７００は、カートリッジアセンブリ２７０１を内部に動作可能に支持するように構成されたチャネル２７２０を備える。チャネル２７２０は、近位端部２７２３及び遠位端部２７２６を含むチャネル本体部２７２１を備える。チャネル２７２０は、一次側面部２７２７と、一次側面部２７２７から横方向に離間された二次側面部２７２８と、を更に備える。複数の第２の顎部補強機構２７３４、２７３５は、一次及び二次側面部２７２７、２７２８の間に延在する。第２の顎部補強機構２７３４及び２７３５は、互いから長手方向にオフセットされて、間に第２の顎部開口部２７３６を画定する。また、第２の顎部補強機構２７３４は、近位の第２の顎部開口部２７３７によって近位端部２７２５から長手方向に分離され、第２の顎部補強機構２７３５は、図示されるように遠位の第２の顎部開口部２７３８によって遠位端部２７２６から長手方向に分離される。
【００４９】
第１の顎部補強材２６５０、２６５２及び第２の顎部補強材２７３４、２７３５は、間に標的組織をクランプしながら、第１及び第２の顎部２６１０、２７００をそれぞれ補強する働きをする。また、長手方向に変位した開口部２６５４、２６５６、２６５８、２７３６、２７３７、２７３８により、臨床医は、発射中の動的クランプアセンブリの進行及び位置（例えば、ステープルがカートリッジアセンブリ７０１から発射される、動的クランプアセンブリ５５０の遠位方向前進の部分）を視認可能である。例えば、図１９に示すように、基準軸Ａ１は、カートリッジアセンブリ２７０１内の最近位のステープル又は締結具の位置に対応する。基準軸Ａ２は、カートリッジアセンブリ２７０１内の最遠位ステープル又は締結具の位置に対応する。図示される実施例では、近位の第２の顎部開口部２７３７は、最近位の締結具位置（基準軸Ａ１によって表される）から第２の顎部補強機構２７３４まで遠位に延在し、遠位の第１の顎部開口部２６５８は、最遠位の締結具位置（軸Ａ２によって表される）から第１の顎部補強機構２６５２まで近位に延在する。
【００５０】
更に図１９を参照すると、第１の顎部２６１０の近位端部２６４２は、顎部２６１０、２７００が図示されるように完全閉鎖位置にあるとき、第２の顎部２７００の近位の第２の顎部開口部２７３７と垂直方向に位置合わせされている（例えば、真上にある）。少なくとも１つの例では、近位端部２６４２の長手方向長さＬＬ１及び近位の第２の顎部開口部２７３７の長手方向長さＬＬＡはほぼ等しい。同様に、近位の第１の顎部開口部２６５６は、顎部が完全閉鎖位置にあるとき、第２の顎部補強機構２７３４と垂直方向に位置合わせされている。近位の第１の顎部開口部２６５６の長手方向長さＬＬ２は、第２の顎部補強機構２７３４の長手方向長さＬＬＢにほぼ等しい。第１の顎部補強機構２６５０は、第２の顎部開口部２７３６と垂直方向に位置合わせされている。第１の顎部補強機構２６５０の長手方向長さＬＬ３は、第２の顎部開口部２７３６の長手方向長さＬＬＣにほぼ等しい。第２の顎部補強機構２７３５は、第１の顎部開口部２６５４と垂直方向に位置合わせされている。第２の顎部補強機構２７３５の長手方向長さＬＬＤは、第１の顎部開口部２６５４の長手方向長さＬＬ４にほぼ等しい。第１の顎部補強機構２６５２は、第２の顎部開口部２７３８と垂直方向に位置合わせされている。第１の顎部補強機構２６５２の長手方向長さＬＬ５は、第２の顎部開口部２７３８の長手方向長さＬＬＥにほぼ等しい。最遠位の第１の顎部開口部２６５８は、最遠位締結具位置Ａ２から第２の顎部開口部２７３８まで延在する第２の顎部２７００の遠位端部２７２６と垂直方向に位置合わせされている。遠位の第１の顎部開口部ＬＬ６の長手方向長さは、遠位端部２７２６の長手方向長さＬＬＦにほぼ等しい。
【００５１】
図示される例では、第１の顎部補強機構２６５０、２６５２並びに第１の顎部２６１０の近位端部２６４２及び遠位端部２６４４は、第１の側面部２６３４と第２の側面部２６３６との間を長手方向軸に対して横方向に延在し、弧状の断面形状を有する。第１の顎部補強機構２６５０、２６５２並びに第１の顎部２６１０の近位端部２６４２及び遠位端部２６４４は、「補強材ブリッジ」と称されてもよい。同様に、第２の顎部補強機構２７３４、２７３５並びに第２の顎部２７００の近位端部２７２５及び遠位端部２７２６は、一次及び二次側面部２７２７と２７２８との間で長手方向軸ＬＡに対して横方向に延在し、弧状の断面形状を有する。第２の顎部補強機構２７３４、２７３５、並びに第２の顎部２７００の近位端部２７２５及び遠位端部２７２６は、「補強材ブリッジ」と称されてもよい。
【００５２】
図１９は、発射位置又は発射準備完了位置にある動的クランプアセンブリ５５０の位置を示す。この図に見られるように、動的クランプアセンブリ５５０の一部は、臨床医によって近位の第２の顎部開口部２７３７を介して視認可能である。図２０では、動的クランプアセンブリ５５０は遠位に前進しており、その位置で、臨床医は、第１の顎部開口部２６５４及び第２の顎部開口部２７３６を介して動的クランプアセンブリ５５０の位置を視認可能である。図２１は、最遠位ステープルが発射されている、最終位置又は終了位置にある動的クランプアセンブリ５５０の位置を示す。この図に見られるように、動的クランプアセンブリ５５０の位置は、第１の顎部開口部２６５８を介して視認可能である。したがって、第１及び第２の顎部補強機構並びに第１及び第２の顎部開口部の位置を上述したように長手方向にずらすことによって、かかる構成は、エンドエフェクタ２５００の剛性、より具体的にはエンドエフェクタ２５００のツールアセンブリ２６００、更により具体的には第１及び第２の顎部２６１０、２７００の剛性を維持する役割を果たす。第１及び第２の顎部が完全閉鎖位置又はクランプ位置にあるとき、動的クランプアセンブリ５５０は遠位に前進して、クランプされた組織を切断し、カートリッジアセンブリ内に支持されたステープルを発射する。また、このような構成により、臨床医は、動的クランプアセンブリ５５０の発射ストローク中の任意の位置で、動的クランプアセンブリ５５０の位置を観察することができる。この文脈で使用されるとき、「発射ストローク」は、発射位置ＦＰ又はステープル発射前の発射準備完了位置から、全ステープルが既に発射された終了発射位置までの動的クランプアセンブリ５５０の移動の範囲を意味する。追加の補強機構及び顎部開口部が、第１及び第２の顎部において上記のように使用される、代替的な構成が想到される。第１及び第２の顎部のうちの一方のみが、ユーザに動的クランプアセンブリ（発射部材）の動きを監視させることができる互いに離間した補強機構を含む、更に他の構成が想到される。
【００５３】
図２２は、アンビルアセンブリ６１２にクランプ力を加える従来の動的クランプアセンブリ５５０を示しており、このクランプ力は、アンビル係合機構５５７によるアンビルプレート６２０上の棚部６２４への不所望の偏向、並びにチャネル係合機構５５９によるチャネル７２０内に形成されたチャネル棚部への偏向をもたらし得る。二次顎部閉鎖システムを採用するエンドエフェクタとは異なり、このような構成は、動的クランプアセンブリを用いて、第１及び第２の顎部に全ての閉鎖力を加える。このような設計は、例えば、組織を圧縮させ、顎部間に適切な組織間隙を形成するために、非常に高い局所圧延力に依存する。反対に、別個の独立した閉鎖及び発射システムは、可能な限り遠位へ力を投入することに依存する。
【００５４】
図２３は、ステープル形成下面２８１２を含むアンビルプレート２８１０を備えるアンビルアセンブリ２８００の一部を示す。アンビルプレート２８１０は、動的クランプアセンブリが発射プロセス中に軸方向に前進する際、動的クランプアセンブリ５５０の本体部を収容するように構成された細長スロット２８１４を含む。細長スロット２８１４は、スロット２８１４の各側面に沿って延在する２つのアンビルプレート棚部２８１６の間に画定される。動的クランプ部材が遠位に前進すると、動的クランプアセンブリ５５０上のアンビル係合タブ又はピンは、アンビルプレート棚部２８１６と摺動可能に係合して、アンビルアセンブリ２８００が標的組織上にクランプされた状態を保持する。アンビルカバープレート又はアンビルキャップ２８２０は、アンビルプレート２８１０上のキャップ棚部２８１８に受容され、該棚部に溶接される、又は別の方法で取り付けられ得る。アンビルプレート棚部２８１６はそれぞれ、カンチレバー形状で内方に延在し、棚部幅ＬＷを有する。動的クランプアセンブリ５５０がアンビルアセンブリ２８００にクランプ係合する際、動的クランプアセンブリ５５０のアンビル係合機構又はタブ５５６は、棚部２８１６と係合して、閉鎖運動を加える。しかしながら、この構成では、棚部２８１６はより堅牢であり、例えばアンビルプレート６２０上の棚部の棚部厚さよりも大きい棚部厚さＬＴを有する。
【００５５】
図２４は、ステープル形成下面２９１２を含むアンビルプレート２９１０を備える、別のアンビルアセンブリ２９００を示す。アンビルプレート２９１０は、動的クランプアセンブリが発射プロセス中に軸方向に前進する際、動的クランプアセンブリ５５０の本体部を収容するように構成された細長いスロット２９１４を含む。細長スロット２９１４は、スロット２９１４の各側面に沿って延在する２つのアンビルプレート棚部２９１６間に画定される。アンビルカバープレート又はアンビルキャップ２９２０は、アンビルプレート２９１０上の棚部２９１８に受容され、該棚部に溶接される、又は別の方法で取り付けられ得る。アンビルプレート棚部２９１６はそれぞれ、カンチレバー構成で内方に延在する。各棚部２９１６は棚部厚さＬＴ（図２３）未満の棚部厚さＬＴ’を有し、各棚部２９１６は棚部２８１６の棚部幅ＬＷ未満の棚部幅ＬＷ’を有する。このような短い棚部２９１６の場合、例えば、アンビルプレート６２０上の棚部が偏向しにくい。かかる構成は、棚部２９１６が短く、動的クランプアセンブリの高荷重前進中に受ける偏向量を制限することができるため、従来のアンビルプレート構成を改善する。
【実施例】
【００５６】
実施例１−外科用器具と共に使用するためのエンドエフェクタ。一実施例では、エンドエフェクタは、第１の顎部近位端と第１の顎部遠位端との間に延在する第１の顎部長手方向軸を画定する第１の顎部を備える。第１の顎部は、互いに長手方向にオフセットされて間に第１の顎部開口部を画定する複数の第１の顎部補強機構を更に備える。第２の顎部は、第１の顎部と第２の顎部とが完全開放位置と完全閉鎖位置との間で互いに対して移動可能であるように、第１の顎部に移動可能に連結される。第２の顎部は、間に第２の顎部開口部を画定するように互いから長手方向にオフセットされた複数の第２の顎部補強機構を備え、第１及び第２の顎部が完全閉鎖位置にあるとき、第１の顎部補強機構のそれぞれが、第２の顎部開口部のうちの対応する１つと垂直方向に位置合わせされ、第２の顎部補強機構のそれぞれが、第１の顎部開口部のうちの対応する１つと垂直方向に位置合わせされている。エンドエフェクタは、完全開放位置と完全閉鎖位置との間で第１及び第２の顎部を選択的に移動させるための手段を更に備える。
【００５７】
実施例２−複数の第１の顎部補強機構が、第１の顎部の近位端から離間して、間に近位の第１の顎部開口部を画定する近位の第１の顎部補強材を備える、実施例１に記載のエンドエフェクタ。中央の第１の顎部補強材が、近位の第１の顎部補強材から遠位に離間して、間に中央の第１の顎部開口部を画定する。遠位の第１の顎部補強材が、中央の第１の顎部補強材から遠位に離間して、間に遠位の第１の顎部開口部を画定する。少なくとも１つの実施例では、複数の第２の顎部補強機構が第１及び第２の顎部が完全閉鎖位置にあるとき、近位の第１の顎部開口部と垂直方向に位置合わせされている近位の第２の顎部補強材を備える。中央の第２の顎部補強材が、近位の第２の顎部補強材から遠位に離間して、間に近位の第２の顎部開口部を画し、第１及び第２の顎部が完全閉鎖位置にあるとき、近位の第２の顎部開口部が近位の第１の顎部補強材と垂直方向に位置合わせされている。遠位の第２の顎部補強材が、中央の第２の顎部補強材から遠位に離間して、第１及び第２の顎部が完全閉鎖位置にあるとき、中央の第１の顎部補強材と垂直方向に位置合わせされている中央の第２の顎部開口部を画定する。遠位の第２の顎部補強材が、第２の顎部の遠位端から近位に離間して、第１及び第２の顎部が完全閉鎖位置にあるとき、遠位の第１の顎部補強材と垂直方向に位置合わせされている遠位の第２の顎部開口部を画定する。
【００５８】
実施例３−第１の顎部が、第１の側面と、第１の側面から横方向に離間した第２の側面とを有する第１の顎部本体を備える、実施例１又は２に記載のエンドエフェクタ。各第１の顎部補強機構が、第１の側面と第２の側面との間に延在する。第２の顎部が、第２の顎部遠位端と第２の顎部近位端との間に延在する第２の顎部長手方向軸を画定する第２の顎部本体を備える。第２の顎部が、一次側面と、一次側面から離間した二次側面を更に備える。各第２の顎部補強機構が、一次側面と二次側面との間に延在する。
【００５９】
実施例４−第１の顎部補強機構が第１の顎部長手方向軸を横断し、各第２の顎部補強機構が第２の顎部長手方向軸を横断する、実施例３に記載のエンドエフェクタ。
【００６０】
実施例５−選択的に移動させるための手段が、第１及び第２の顎部の完全開放位置に対応する開始位置と終了位置との間で選択的に移動可能である、軸方向に移動可能な動的クランプアセンブリを備える、実施例１、２、３、又は４に記載のエンドエフェクタ。少なくとも１つの実施例では、軸方向に移動可能な動的クランプアセンブリが、第１の顎部と摺動可能に係合するように構成された少なくとも１つの第１の顎部係合機構と、第２の顎部と摺動可能に係合するように構成された少なくとも１つの第２の顎部係合機構とを含む、垂直に延在する本体部を備える。
【００６１】
実施例６−動的クランプアセンブリがエンドエフェクタ内で軸方向に移動される際、少なくとも１つの第１の顎部係合機構が、第１の顎部内の第１の顎部開口部のうちの少なくとも１つを介して視認可能である、又は少なくとも１つの第２の顎部係合機構が、第２の顎部内の第２の顎部開口部のうちの少なくとも１つを介して視認可能である、実施例５に記載のエンドエフェクタ。
【００６２】
実施例７−動的クランプアセンブリがエンドエフェクタ内で軸方向に移動される際、少なくとも１つの第１の顎部係合機構が、第１の顎部の第１及び第２の側面のうちの１つから、第１の顎部の第１の顎部開口部のうちの少なくとも１つを介して視認可能である、又は少なくとも１つの第２の顎部係合機構が、第２の顎部の一次及び二次側面のうちの１つから、第２の顎部の第２の顎部開口部のうちの少なくとも１つを介して視認可能である、実施例３に記載のエンドエフェクタ。
【００６３】
実施例８−第１の顎部が、外科用ステープルカートリッジを内部に支持するように構成されたチャネルを備え、第２の顎部がアンビルを備える、実施例１、２、３、４、５、６又は７に記載のエンドエフェクタ。
【００６４】
実施例９−垂直に延在する本体部が組織切断面を備える、実施例５に記載のエンドエフェクタ。
【００６５】
実施例１０−外科用器具と共に使用するためのエンドエフェクタ。少なくとも１つの実施例では、エンドエフェクタは、第１の顎部と、第１の顎部に移動可能に連結された第２の顎部とを備え、第１及び第２の顎部は、完全開放位置と完全閉鎖位置との間で互いに対して移動可能である。動的クランプアセンブリは、動的クランプアセンブリが開始位置から終了位置へと軸方向に移動させられる際に第１及び第２の顎部に係合して、第１及び第２の顎部に閉鎖運動を付与するように構成されている。第１及び第２の顎部のうちの少なくとも１つは、動的クランプアセンブリが開始位置と終了位置との間を移動する際、動的クランプアセンブリの視認を可能にするように構成された開口部によって互いに長手方向に離間した補強機構を備える。
【００６６】
実施例１１−動的クランプアセンブリが、垂直に延在する本体部と、第１の顎部と摺動可能に係合するように構成された少なくとも１つの第１の顎部係合機構と、第２の顎部と摺動可能に係合するように構成された少なくとも１つの第２の顎部係合機構とを備える、実施例１０に記載のエンドエフェクタ。
【００６７】
実施例１２−第１の顎部は、第１のチャネル側面と、第１のチャネル側面から横方向に離間した第２のチャネル側面とを含むチャネル本体を有するチャネルを備える、実施例１０又は１１に記載のエンドエフェクタ。複数のチャネル補強材ブリッジは、チャネル開口部によって互いに軸方向に離間して、第１のチャネル側面と第２のチャネル側面との間にまたがる。
【００６８】
実施例１３−第２の顎部が、チャネル内に支持されたカートリッジと対面関係で支持されるアンビルプレートを含むアンビルを備える、実施例１２に記載のエンドエフェクタ。アンビルカバーは、アンビルプレートに連結され、第１のアンビル側面と、第１のアンビル側面から離間した第２のアンビル側面であって、アンビル開口部によって互いに軸方向に離間した複数のアンビル補強ブリッジによって第１のアンビル側面に連結されている第２のアンビル側面とを備え、アンビル補強ブリッジが、第１のアンビル側面と第２のアンビル側面との間にまたがる。
【００６９】
実施例１４−チャネル補強材ブリッジのそれぞれが、第１の長手方向軸を横断し、アンビルが、近位アンビル端と遠位アンビル端との間に第２の長手方向軸を画定し、アンビル補強材ブリッジのそれぞれが、第２の長手方向軸を横断する、実施例１３に記載のエンドエフェクタ。
【００７０】
実施例１５−垂直に延在する本体部が組織切断面を備える、実施例１１に記載のエンドエフェクタ。
【００７１】
実施例１６−動的クランプアセンブリがエンドエフェクタ内で軸方向に移動させられる際、動的クランプアセンブリの一部が、第１のチャネル側面及び第２のチャネル側面のうちの１つから、チャネルのチャネル開口部のうちの少なくとも１つを介して視認可能である、又は動的クランプ部材の少なくとも別の一部が、第１のアンビル側面及び第２のアンビル側面のうちの１つから、アンビル開口部のうちの少なくとも１つを介して視認可能である、実施例１３に記載のエンドエフェクタ。
【００７２】
実施例１７−モータ駆動外科用器具と共に使用するための外科用装填ユニット。少なくとも１つの実施例では、装填ユニットは、モータ駆動外科用器具の一部と動作可能にインターフェイスするように構成されたハウジングを備える。ツールアセンブリは、ハウジングに動作可能に連結され、ステープルカートリッジ本体を内部に支持するチャネルを備える。チャネルは、その近位端と遠位端との間に延在する第１の長手方向軸を画定する。チャネルは、間に配置されたチャネル開口部によって離間した複数のチャネル補強材ブリッジを画定する分割底部を更に含む。アンビルは、チャネル及びアンビルが完全開放位置と完全閉鎖位置との間で互いに対して移動可能であるように、チャネルに回動可能に連結される。アンビルは、間に配置されたアンビル開口部によって離間した複数のアンビル補強材ブリッジを画定する分割上部を含む。動的クランプアセンブリは、動的クランプアセンブリが開始位置から終了位置へと軸方向に移動させられる際にチャネル及びアンビルに係合して、チャネル及びアンビルに閉鎖運動を付与するように構成されている。動的クランプアセンブリは、動的クランプアセンブリが開始位置と終了位置との間を移動する際に、チャネル開口部又はアンビル開口部を介して視認可能である。
【００７３】
実施例１８−ツールアセンブリが、ハウジングアセンブリに対して選択的に枢動移動するように回動移動するようにハウジングアセンブリに回動可能に連結されている、実施例１７に記載の外科用装填ユニット。
【００７４】
実施例１９−ハウジングが、モータ駆動外科用器具に取り外し可能に連結されるように構成されたアダプタに取り外し可能に連結されるように構成されている、実施例１７又は１８に記載の外科用装填ユニット。
【００７５】
実施例２０−複数のチャネル補強材ブリッジが、チャネルの近位端から離間して、間に近位チャネル開口部を画定する、近位チャネル補強材ブリッジと、近位チャネル補強材ブリッジから遠位に離間して、間に中央チャネル開口部を画定する中央チャネル補強材ブリッジと、中央チャネル補強材ブリッジから遠位に離間して、間に遠位チャネル開口部を画定する遠位チャネル補強材ブリッジと、を備える、実施例１７、１８、又は１９の外科用装填ユニット。複数のアンビル補強材ブリッジは、チャネル及びアンビルが完全閉鎖位置にあるとき、近位チャネル開口部と垂直方向に位置合わせされている近位アンビル補強材ブリッジを備える。中央アンビル補強材ブリッジが、近位アンビル補強材ブリッジから遠位に離間して、間に近位アンビル開口部を画定し、チャネル及びアンビルが完全閉鎖位置にあるとき、近位アンビル開口部が近位チャネル補強材ブリッジと垂直方向に位置合わせされている。遠位アンビル補強材ブリッジが、中央アンビル補強材ブリッジから遠位に離間して、間に中央アンビル開口部を画定し、チャネル及びアンビルが完全閉鎖位置にあるとき、中央アンビル開口部が中央チャネル補強材ブリッジと垂直方向に位置合わせされている。遠位アンビル補強材ブリッジが、アンビルの遠位端から近位に離間して、間に遠位アンビル開口部を画定し、アンビル及びチャネルが完全閉鎖位置にあるとき、遠位アンビル開口部が遠位チャネル補強材ブリッジと垂直方向に位置合わせされている。
【００７６】
本明細書で説明する外科用器具システムの多くは、電動モータによって駆動されている。本明細書に記載された外科用器具システムは、任意の好適な方式で動作することができる。様々な事例において、本明細書で説明した外科用器具システムは、例えば、手動操作トリガにより動作することができる。ある特定の例において、本明細書に開示されるモータは、ロボット制御システムの部分を備えてもよい。更に、本明細書に開示されるエンドエフェクタ及び／又は工具アセンブリのいずれもロボット手術器具システムと共に利用することができる。例えば、米国特許出願第１３／１１８，２４１号、発明の名称「ＳＵＲＧＩＣＡＬ  ＳＴＡＰＬＩＮＧ  ＩＮＳＴＲＵＭＥＮＴＳ  ＷＩＴＨ  ＲＯＴＡＴＡＢＬＥ  ＳＴＡＰＬＥ  ＤＥＰＬＯＹＭＥＮＴ  ＡＲＲＡＮＧＥＭＥＮＴＳ」、現在は米国特許第９，０７２，５３５号は、ロボット外科用器具システムのいくつかの例をより詳細に開示している。
【００７７】
本明細書に記載される外科用器具システムは、ステープルの展開及び変形に関連して説明されてきた。本明細書に記載された実施形態は、これに限定されない。例えば、クランプ又はタックなど、ステープル以外の締結要素を展開する様々な実施形態が想定される。更に、組織を封止するための任意の好適な手段を利用する、様々な実施形態も想到される。例えば、様々な実施形態によるエンドエフェクタは、組織を加熱して封止するように構成された電極を備え得る。また、例えば、特定の実施形態によるエンドエフェクタは、組織を封止するために振動エネルギーを印加することができる。
【００７８】
特定の実施形態と共に本明細書で様々なデバイスについて説明したが、それらの実施形態に対して修正及び変更が実施されてもよい。特定の特徴、構造又は特性を、１つ以上の実施形態で、任意の適切な様式で組み合わせてもよい。したがって、一実施形態に関して図示又は説明される特定の特徴、構造、又は特性は、無制限に、１つ以上の他の実施形態の特徴、構造、又は特性と全て、あるいは、部分的に組み合わされてよい。また、材料が特定の構成要素に関して開示されているが、他の材料が使用されてもよい。更に、様々な実施形態に従って、所与の機能（複数可）を実行するために、単一の構成要素を複数の構成要素に置き換えてもよく、また複数の構成要素を単一の構成要素に置き換えてもよい。以上の説明及び以下の特許請求の範囲は、このような修正及び変形形態を全て包含することが意図される。
【００７９】
本明細書に開示される装置は、１回の使用後に廃棄されるように設計することができ、又は複数回使用されるように設計することができる。しかしながら、いずれの場合も、デバイスは少なくとも１回の使用後に再利用のために再調整され得る。再調整には、デバイスの分解工程、それに続くデバイスの特定の部品の洗浄工程又は交換工程、及びその後のデバイスの再組み立て工程の任意の組み合わせを含むことができるが、これらに限定されない。具体的には、再調整の施設及び／又は外科チームは、デバイスを分解することができ、デバイスの特定の部品を洗浄及び／又は交換した後、デバイスをその後の使用のために再組み立てすることができる。当業者であれば、装置の再調整が、分解、洗浄／交換、及び再組み立てのための様々な技術を利用することができることを理解するであろう。このような技術の使用、及び結果として得られる再調整された装置は、全て本出願の範囲内にある。
【００８０】
本明細書に開示のデバイスは、手術前に処理され得る。最初に、新品又は使用済みの器具が入手され、必要に応じて洗浄されてもよい。次いで器具を滅菌することができる。１つの滅菌技術では、器具は、プラスチックバッグ又はＴＹＶＥＫバッグなど、閉鎖され密封された容器に入れられる。次いで、容器及び器具を、γ線、Ｘ線、及び／又は高エネルギー電子などの、容器を透過し得る放射線野に置くことができる。放射線は、器具上及び容器内の細菌を死滅させることができる。この後、滅菌済みの器具を滅菌容器内で保管することができる。密封容器は、医療施設で開けられるまで、器具を滅菌状態に保つことができる。デバイスはまた、β線、γ線、エチレンオキシド、過酸化水素プラズマ、及び／又は水蒸気が挙げられるが、これらに限定されない、当該技術分野で既知の任意の他の技術を用いて滅菌され得る。
【００８１】
例示的な設計を有するものとして本発明について記載してきたが、本発明は、本開示の趣旨及び範囲内で更に修正されてもよい。したがって、本出願は、その一般的原理を使用する本発明のあらゆる変形、使用、又は適合を包含するものとする。
【００８２】
〔実施の態様〕
（１）  外科用器具と共に使用するためのエンドエフェクタであって、
第１の顎部であって、その第１の顎部近位端と第１の顎部遠位端との間に第１の顎部長手方向軸を画定し、間に第１の顎部開口部を画定するように互いから長手方向にオフセットされた複数の第１の顎部補強機構を備える、第１の顎部と、
第２の顎部であって、前記第１の顎部及び前記第２の顎部が、完全開放位置と完全閉鎖位置との間で互いに対して移動可能であるように、前記第１の顎部に移動可能に連結され、間に第２の顎部開口部を画定するように互いから長手方向にオフセットされた複数の第２の顎部補強機構を備え、前記第１及び第２の顎部が前記完全閉鎖位置にあるとき、前記第１の顎部補強機構のそれぞれが、前記第２の顎部開口部のうちの対応する１つと垂直方向に位置合わせされ、前記第２の顎部補強機構のそれぞれが、前記第１の顎部開口部のうちの対応する１つと垂直方向に位置合わせされている、第２の顎部と、
前記第１及び第２の顎部を前記完全開放位置と前記完全閉鎖位置との間で選択的に移動させるための手段と、
を備える、エンドエフェクタ。
（２）  前記複数の前記第１の顎部補強機構が、
前記第１の顎部の近位端から離間して、近位の第１の顎部開口部を間に画定する近位の第１の顎部補強材と、
前記近位の第１の顎部補強材から遠位に離間して、間に中央の第１の顎部開口部を画定する中央の第１の顎部補強材と、
前記中央の第１の顎部補強材から遠位に離間して、間に遠位の第１の顎部開口部を画定する遠位の第１の顎部補強材と、
を備え、
前記複数の第２の顎部補強機構が、
前記第１及び第２の顎部が前記完全閉鎖位置にあるとき、前記近位の第１の顎部開口部と垂直方向に位置合わせされている近位の第２の顎部補強材と、
前記近位の第２の顎部補強材から遠位に離間して、間に近位の第２の顎部開口部を画定する中央の第２の顎部補強材であって、前記第１及び第２の顎部が前記完全閉鎖位置にあるとき、前記近位の第２の顎部開口部が前記近位の第１の顎部補強材と垂直方向に位置合わせされている、中央の第２の顎部補強材と、
前記中央の第２の顎部補強材から遠位に離間して、間に中央の第２の顎部開口部を画定する、遠位の第２の顎部補強材であって、前記第１及び第２の顎部が前記完全閉鎖位置にあるとき、前記中央の第２の顎部開口部が前記中央の第１の顎部補強材と垂直方向に位置合わせされており、前記遠位の第２の顎部補強材が、前記第２の顎部の遠位端から近位に離間して、間に遠位の第２の顎部開口部を画定し、前記第１及び第２の顎部が前記完全閉鎖位置にあるとき、前記遠位の第２の顎部開口部が前記遠位の第１の顎部補強材と垂直方向に位置合わせされている、遠位の第２の顎部補強材と、
を備える、実施態様１に記載のエンドエフェクタ。
（３）  前記第１の顎部が、第１の側面と前記第１の側面から横方向に離間した第２の側面とを含む第１の顎部本体を備え、前記複数の前記第１の顎部補強機構のそれぞれが、前記第１の側面と前記第２の側面との間を延在し、前記第２の顎部が、第２の顎部遠位端と第２の顎部近位端との間の第２の顎部長手方向軸を画定する第２の顎部本体を備え、前記第２の顎部が、一次側面と前記一次側面から離間した二次側面とを更に備え、前記複数の第２の顎部補強機構のそれぞれが、前記一次側面と前記二次側面との間を延在する、実施態様１に記載のエンドエフェクタ。
（４）  前記第１の顎部補強機構のそれぞれが前記第１の顎部長手方向軸を横断し、前記第２の顎部補強機構のそれぞれが前記第２の顎部長手方向軸を横断する、実施態様３に記載のエンドエフェクタ。
（５）  前記選択的に移動させるための手段が、前記第１及び前記第２の顎部の前記完全開放位置に対応する開始位置と終了位置との間で選択的に移動可能である軸方向に移動可能な動的クランプアセンブリを備え、前記軸方向に移動可能な動的クランプアセンブリが、
垂直に延在する本体部と、
前記第１の顎部と摺動可能に係合するように構成された少なくとも１つの第１の顎部係合機構と、
前記第２の顎部と摺動可能に係合するように構成された少なくとも１つの第２の顎部係合機構と、
を備える、実施態様１に記載のエンドエフェクタ。
【００８３】
（６）  前記動的クランプアセンブリが前記エンドエフェクタ内で軸方向に移動させられる際、前記少なくとも１つの第１の顎部係合機構が、前記第１の顎部の前記第１の顎部開口部のうちの少なくとも１つを介して視認可能である、又は前記少なくとも１つの第２の顎部係合機構が、前記第２の顎部の前記第２の顎部開口部の少なくとも１つを介して視認可能である、実施態様５に記載のエンドエフェクタ。
（７）  前記動的クランプアセンブリが前記エンドエフェクタ内で軸方向に移動させられる際、前記少なくとも１つの第１の顎部係合機構が、前記第１の顎部の前記第１及び第２の側面のうちの１つから、前記第１の顎部の前記第１の顎部開口部のうちの少なくとも１つを介して視認可能である、又は前記少なくとも１つの第２の顎部係合機構が、前記第２の顎部の前記一次及び二次側面のうちの１つから、前記第２の顎部の前記第２の顎部開口部のうちの少なくとも１つを介して視認可能である、実施態様３に記載のエンドエフェクタ。
（８）  前記第１の顎部が、外科用ステープルカートリッジを内部に支持するように構成されたチャネルを備え、前記第２の顎部がアンビルを備える、実施態様５に記載のエンドエフェクタ。
（９）  前記垂直に延在する本体部が組織切断面を備える、実施態様８に記載のエンドエフェクタ。
（１０）  外科用器具と共に使用するためのエンドエフェクタであって、
第１の顎部と、
第２の顎部であって、前記第１及び第２の顎部が完全開放位置と完全閉鎖位置との間で互いに対して移動することができるように、前記第１の顎部に回動可能に連結された第２の顎部と、
動的クランプアセンブリであって、前記動的クランプアセンブリが開始位置から終了位置へと軸方向に移動させられる際に前記第１及び第２の顎部に係合して、前記第１及び第２の顎部に閉鎖運動を付与するように構成された動的クランプアセンブリと、
を備え、
前記第１及び第２の顎部のうちの少なくとも１つは、前記動的クランプアセンブリが前記開始位置と前記終了位置との間を移動する際に前記動的クランプアセンブリの視認を可能にするように構成された開口部によって互いに長手方向に離間している補強機構を備える、エンドエフェクタ。
【００８４】
（１１）  前記動的クランプアセンブリが、
垂直に延在する本体部と、
前記第１の顎部と摺動可能に係合するように構成された少なくとも１つの第１の顎部係合機構と、
前記第２の顎部と摺動可能に係合するように構成された少なくとも１つの第２の顎部係合機構と、
を備える、実施態様１０に記載のエンドエフェクタ。
（１２）  前記第１の顎部がチャネルを備え、前記チャネルが、
第１のチャネル側面と、前記第１のチャネル側面から横方向に離間した第２のチャネル側面と、を備えるチャネル本体と、
チャネル開口部によって互いに軸方向に離間して、前記第１のチャネル側面と前記第２のチャネル側面との間にまたがる、複数のチャネル補強材ブリッジと、
を備える、実施態様１０に記載のエンドエフェクタ。
（１３）  前記第２の顎部が、アンビルを含み、前記アンビルが、
前記チャネルに支持されたカートリッジと対面関係で支持されるアンビルプレートと、
前記アンビルプレートに連結されたアンビルカバーであって、
第１のアンビル側面と、
前記第１のアンビル側面から離間した第２のアンビル側面であって、アンビル開口部によって互いに軸方向に離間して、前記第１のアンビル側面と前記第２のアンビル側面との間にまたがる、複数のアンビル補強ブリッジによって前記第１のアンビル側面に連結されている、第２のアンビル側面と、
を備える、アンビルカバーと、
を備える、実施態様１２に記載のエンドエフェクタ。
（１４）  前記チャネル補強材ブリッジのそれぞれが、前記第１の長手方向軸を横断し、前記アンビルが、近位アンビル端と遠位アンビル端との間に第２の長手方向軸を画定し、前記アンビル補強材ブリッジのそれぞれが、前記第２の長手方向軸を横断する、実施態様１３に記載のエンドエフェクタ。
（１５）  前記垂直に延在する本体部が組織切断面を備える、実施態様１１に記載のエンドエフェクタ。
【００８５】
（１６）  前記動的クランプアセンブリが前記エンドエフェクタ内で軸方向に移動させられる際、前記動的クランプアセンブリの一部が、前記第１のチャネル側面及び前記第２のチャネル側面のうちの１つから、前記チャネルの前記チャネル開口部のうちの少なくとも１つを介して視認可能である、又は前記動的クランプアセンブリの少なくとも別の一部が、前記第１のアンビル側面及び前記第２のアンビル側面のうちの１つから、前記アンビル開口部のうちの少なくとも１つを介して視認可能である、実施態様１２に記載のエンドエフェクタ。
（１７）  モータ駆動外科用器具と共に使用するための外科用装填ユニットであって、
前記モータ駆動外科用器具の一部と動作可能にインターフェイスするように構成されたハウジングと、
前記ハウジングに動作可能に連結されたツールアセンブリであって、
ステープルカートリッジ本体を内部に支持するチャネルであって、その近位端と遠位端との間に第１の長手方向軸を画定し、複数のチャネル補強材ブリッジ及び前記チャネル補強材ブリッジ間のチャネル開口部を画定する分割底部を備える、チャネルと、
前記チャネルに回動可能に連結されたアンビルであって、前記チャネル及び前記アンビルが、完全開放位置と完全閉鎖位置との間で互いに対して移動可能であり、複数のアンビル補強材ブリッジ及び前記チャネル補強材ブリッジ間のアンビル開口部を画定する分割上部を備える、アンビルと、
動的クランプアセンブリであって、前記動的クランプアセンブリが開始位置から終了位置へと軸方向に移動させられる際に前記チャネル及び前記アンビルに係合して、前記チャネル及び前記アンビルに閉鎖運動を付与するように構成され、前記動的クランプアセンブリが前記開始位置と前記終了位置との間を移動する際に、前記チャネル開口部又は前記アンビル開口部を介して視認可能である、動的クランプアセンブリと、
を備える、ツールアセンブリと、
を備える、外科用装填ユニット。
（１８）  前記ツールアセンブリが、前記ハウジングアセンブリに対して選択的に回動移動するように前記ハウジングアセンブリに回動可能に連結されている、実施態様１７に記載の外科用装填ユニット。
（１９）  前記ハウジングが、前記モータ駆動外科用器具に取り外し可能に連結されるように構成されたアダプタに取り外し可能に連結されるように構成されている、実施態様１８に記載の外科用装填ユニット。
（２０）  前記複数の前記チャネル補強材ブリッジが、
前記チャネルの近位端から離間して、間に近位チャネル開口部を画定する、近位チャネル補強材ブリッジと、
前記近位チャネル補強材ブリッジから遠位に離間して、間に中央チャネル開口部を画定する中央チャネル補強材ブリッジと、
前記中央チャネル補強材ブリッジから遠位に離間して、間に遠位チャネル開口部を画定する遠位チャネル補強材ブリッジと、
を備え、
前記複数のアンビル補強材ブリッジが、
前記チャネル及び前記アンビルが前記完全閉鎖位置にあるとき、前記近位チャネル開口部と垂直方向に位置合わせされている近位アンビル補強材ブリッジと、
前記近位アンビル補強材ブリッジから遠位に離間して、間に近位アンビル開口部を画定する中央アンビル補強材ブリッジであって、前記チャネル及びアンビルが前記完全閉鎖位置にあるとき、前記近位アンビル開口部が前記近位チャネル補強材ブリッジと垂直方向に位置合わせされている、中央アンビル補強材ブリッジと、
前記中央アンビル補強材ブリッジから遠位に離間して、間に中央アンビル開口部を画定する、遠位アンビル補強材ブリッジであって、前記チャネル及び前記アンビルが前記完全閉鎖位置にあるとき、前記中央アンビル開口部が前記中央チャネル補強材ブリッジと垂直方向に位置合わせされており、前記遠位アンビル補強材ブリッジが、前記アンビルの遠位端から近位に離間して、間に遠位アンビル開口部を画定し、前記アンビル及び前記チャネルが前記完全閉鎖位置にあるとき、前記遠位アンビル開口部が前記遠位チャネル補強材ブリッジと垂直方向に位置合わせされている、遠位アンビル補強材ブリッジと、
を備える、実施態様１７に記載の外科用装填ユニット。
【図１】
2021506378.tif 000003
【図２】
2021506378.tif 000004
【図３】
2021506378.tif 000005
【図４】
2021506378.tif 000006
【図５】
2021506378.tif 000007
【図６】
2021506378.tif 000008
【図７】
2021506378.tif 000009
【図８】
2021506378.tif 000010
【図９】
2021506378.tif 000011
【図１０】
2021506378.tif 000012
【図１１】
2021506378.tif 000013
【図１２】
2021506378.tif 000014
【図１３】
2021506378.tif 000015
【図１４】
2021506378.tif 000016
【図１５】
2021506378.tif 000017
【図１６】
2021506378.tif 000018
【図１７】
2021506378.tif 000019
【図１８】
2021506378.tif 000020
【図１９】
2021506378.tif 000021
【図２０】
2021506378.tif 000022
【図２１】
2021506378.tif 000023
【図２２】
2021506378.tif 000024
【図２３】
2021506378.tif 000025
【図２４】
2021506378.tif 000026
【国際調査報告】
2021506378.tif 000027
2021506378.tif 000028
2021506378.tif 000029
2021506378.tif 000030